(57)【要約】  送信装置（２）において、制御部（２ａ）は、映像仕様に関する情報から受信装置が処理可能な水平解像度ならびに垂直解像度の情報、および、受信装置が処理可能なフレームレートの情報を読み取り、受信装置が処理可能な範囲から選択することのできる低減されたフレームレートを示す情報を映像信号のブランキング期間に映像信号に多重する制御を行い、送信部（２ｄ）は、低減されたフレームレートでベースバンド映像データを送信する。
2013076881.tif 000002
【特許請求の範囲】
【請求項１】
映像信号を含む信号を受信装置に送信する送信装置であって、
前記受信装置が保有している処理可能な映像仕様に関する情報を読み取り、前記受信装置が処理可能な前記映像信号を送信するように制御を行う制御部と、
前記映像信号をベースバンド映像データとして送信する送信部とを備えており、
前記映像信号が所定以上の複数フレームに亘って同じ映像を示す出力モードである場合に、
前記制御部は、前記映像仕様に関する情報から前記受信装置が処理可能な水平解像度ならびに垂直解像度の情報、および、前記受信装置が処理可能なフレームレートの情報を読み取り、前記受信装置が処理可能な範囲から選択することのできる低減されたフレームレートを示す情報を前記映像信号のブランキング期間に前記映像信号に多重する制御を行い、
前記送信部は、前記低減されたフレームレートで前記ベースバンド映像データを送信することを特徴とする送信装置。
【請求項２】
前記低減されたフレームレートを示す情報は、低減前のフレームレートに対する分周比に関する情報であることを特徴とする請求項１に記載の送信装置。
【請求項３】
前記送信部がクロックを送信する場合に、前記出力モードにおいて前記クロックの伝送レートは低減しないで伝送することを特徴とする請求項１または２に記載の送信装置。
【請求項４】
映像信号を含む信号を受信する受信装置であって、
処理可能なフレームレートの情報を含む処理可能な映像仕様に関する情報を記憶する記憶部と、
ベースバンド映像データからなる映像信号を含む信号を受信する受信部と、
前記受信部によって受信した前記映像信号が書き込まれるフレームメモリと、
前記受信部から前記フレームメモリに前記映像信号を書き込む第１のタイミングと、前記フレームメモリから前記映像信号を読み出す第２のタイミングと、を生成する同期信号発生部とを備えており、
前記受信部は、受信した前記映像信号のブランキング期間に水平解像度ならびに垂直解像度の情報、および、低減されたフレームレートを示す情報が重畳されている場合に、前記フレームレートを示す情報を前記同期信号発生部に出力し、
前記同期信号発生部は、水平解像度ならびに垂直解像度の情報および、前記低減されたフレームレートを示す情報に従ったフレームレートで前記第１のタイミングを生成することを特徴とする受信装置。
【請求項５】
処理可能なフレームレートが２のべき乗で表される値を複数含む場合に、前記２のべき乗で表される各値に関するフレームレートの情報として、前記２のべき乗で表される値の最大値のみが前記記憶部に記憶されていることを特徴とする請求項４に記載の受信装置。
【請求項６】
処理可能な所定のフレームレートが特定の複数の映像仕様に共通である場合に、前記所定のフレームレートに関する情報が前記特定の複数の映像仕様にのみ適用されることを示すマスクフィールドが前記記憶部に記憶されていることを特徴とする請求項４または５に記載の受信装置。
【請求項７】
映像信号を含む信号を送信する送信装置と、前記映像信号を含む信号を受信する受信装置とを備える送受信システムであって、
前記送信装置は、
前記受信装置が保有している処理可能な映像仕様に関する情報を読み取り、前記受信装置が処理可能な前記映像信号を送信するように制御を行う制御部と、
前記映像信号をベースバンド映像データとして送信する送信部とを備えており、
前記映像信号が所定の複数フレームに亘って同じ映像を示す出力モードである場合に、
前記制御部は、前記映像仕様に関する情報から前記受信装置が処理可能な水平解像度ならびに垂直解像度の情報、および、前記受信装置が処理可能なフレームレートの情報を読み取り、前記受信装置が処理可能な範囲から選択することのできる低減されたフレームレートを示す情報を前記映像信号のブランキング期間に前記映像信号に多重する制御を行い、
前記送信部は、前記低減されたフレームレートで前記ベースバンド映像データを送信し、
前記受信装置は、
前記処理可能なフレームレートの情報を含む前記処理可能な映像仕様に関する情報を記憶する記憶部と、
前記送信装置から送信された前記映像信号を含む信号を受信する受信部と、
前記受信部によって受信した前記映像信号が書き込まれるフレームメモリと、
前記受信部から前記フレームメモリに前記映像信号を書き込む第１のタイミングと、前記フレームメモリから前記映像信号を読み出す第２のタイミングと、を生成する同期信号発生部とを備えており、
前記受信部は、受信した前記映像信号のブランキング期間に水平解像度ならびに垂直解像度の情報、および、前記低減されたフレームレートを示す情報が重畳されている場合に、前記低減されたフレームレートを示す情報を前記同期信号発生部に出力し、
前記同期信号発生部は、前記低減されたフレームレートを示す情報に従って前記低減されたフレームレートで前記第１のタイミングを生成することを特徴とする送受信システム。
【発明の詳細な説明】
【技術分野】
【０００１】
本発明は少なくともベースバンド映像データの送受信が可能なベースバンド映像データ送受信システムに関する。より詳しくは、低消費電力で映像データを送受信可能なベースバンド映像音声データ送受信システムと、当該システムを構成する送信装置および受信装置とに関する。
【背景技術】
【０００２】
近年、ベースバンド映像音声データ送受信システムの為の伝送仕様としてＨＤＭＩ仕様が知られている。ベースバンドとは非圧縮を意味する。【０００３】
ＨＤＭＩ仕様では３つのチャネルを用いて、映像データを伝送している。さらに各映像データに音声データまたは制御に用いるデータを時間軸多重して伝送を行っている（例えば非特許文献１、非特許文献２参照）。【０００４】
図９に、ＨＤＭＩ仕様に準拠した構成を備える送受信システム１０１の構成を示す。送受信システム１０１は、送信装置１０２および受信装置１０３を備えている。送信装置１０２としてはデジタルカメラ、ビデオカメラ、ＤＶＤプレーヤなどが、また、受信装置１０３としてはテレビ受像器、モニタなどが該当する。【０００５】
送信装置１０２はソース機器であり、マイクロコンピュータ１０２ａ、映像出力回路１０２ｂ、ＴＭＤＳ出力回路１０２ｃ、および、トランスミッタ１０２ｄを備えている。受信装置１０３はシンク機器であり、情報記憶部１０３ａ、ＴＭＤＳ入力回路１０３ｂ、メモリ１０３ｃ、および、同期信号発生部１０３ｄを備えている。【０００６】
送信装置１０２においては、マイクロコンピュータ１０２ａが受信装置１０３のＲＯＭで構成される情報記憶部１０３ａに格納されたＥＤＩＤ（Ｅｘｔｅｎｄｅｄ  Ｄｉｓｐｌａｙ  Ｉｄｅｎｔｉｆｉｃａｔｉｏｎ  Ｄａｔａ）を、ＤＤＣ（Ｄｉｓｐｌａｙ  Ｄａｔａ  Ｃｈａｎｎｅｌ）を介して読み込み、受信装置１０３がＨＤＭＩ仕様のどのような仕様に対応しているのかを確認している。ＥＤＩＤには、例えば受信装置１０３が表示することができるビデオフォーマットが記載されている。このビデオフォーマットはＶＩＣ（Ｖｉｄｅｏ  Ｉｄｅｎｔｉｆｉｃａｔｉｏｎ  Ｃｏｄｅ：ビデオ識別コード）によって特定される（詳細は非特許文献２を参照）。ビデオフォーマットには解像度やフィールドレートが含まれる。【０００７】
また、マイクロコンピュータ１０２ａは機器内の信号処理制御を行っており、例えば映像出力回路１０２ｂに機器内部に備えられた記録媒体から記録データを読み出してメモリ上に映像データや音声データを展開する制御を行う。マイクロコンピュータ１０２ａは受信装置１０３からＥＤＩＤを受けとった後に、デジタルビデオ信号を生成する。また、当該デジタルビデオ信号のビデオフォーマットを特定するＶＩＣを生成する。当該ＶＩＣはＡＶＩ  ＩｎｆｏＦｒａｍｅというパケットで伝送される。【０００８】
ＴＭＤＳ出力回路１０２ｃは映像出力回路１０２ｂから出力される非圧縮データのエンコードおよびパラレルシリアル変換を行う。トランスミッタ１０２ｄはＴＭＤＳ（Ｔｒａｎｓｉｉｏｎ  Ｍｉｎｉｍｉｚｅｄ  Ｄｉｆｆｅｒｅｎｔｉａｌ  Ｓｉｇｎａｌｉｎｇ）方式により、シリアルデータを伝送路に出力する。【０００９】
ＴＭＤＳ伝送路においては、３つのデータチャネル（ＤＡＴＡ０、ＤＡＴＡ１、ＤＡＴＡ２）および１つのクロックチャネルが用いられる。各データチャネルはＲデータ，Ｇデータ，Ｂデータのいずれかの映像データ、音声データ、および、制御データはトランスミッタ１０２ｄにより差動信号に変換されて伝送される。差動信号とは、１信号のＨｉ／Ｌｏを２信号の電圧差で表現する信号である。映像データは表示期間に割り当てられてラスタスキャンデータとして伝送される。音声データおよび制御データは垂直ブランキング期間および水平ブランキング期間からなるブランキング期間に割り当てられてパケットデータとして伝送される。制御データはＡＶＩ  ＩｎｆｏＦｒａｍｅパケットとして伝送される。【００１０】
受信装置１０３においては、ＴＭＤＳ入力回路１０３ｂが、図示しないレシーバによりＴＭＤＳデータおよびクロックを受信してシリアルパラレル変換を行った後に各データのデコードを行う。デコードされたデータはメモリ１０３ｃ内の受信メモリに保持され、同期信号発生部１０３ｄが伝送されたピクセルクロックを基に、映像データが受信メモリからメモリ１０３ｃ内のフレームメモリに書き込まれる。受信とともにＡＶＩ  ＩｎｆｏＦｒａｍｅパケットが解析される。フレームメモリに書き込まれたデータは、ＡＶＩ  ＩｎｆｏＦｒａｍｅに記述されたビデオフォーマットに従い、同期信号発生部１０３ｄで生成される各種のタイミング信号によって映像表示に用いられ、受信メモリに保持された音声データは音声出力に用いられる。
【先行技術文献】
【非特許文献】
【００１１】
【非特許文献１】Ｈｉｇｈ−Ｄｅｆｉｎｉｔｉｏｎ  Ｍｕｌｔｉｍｅｄｉａ  Ｉｎｔｅｒｆａｃｅ  Ｓｐｅｃｉｆｉｃａｔｉｏｎ  Ｖｅｒｓｉｏｎ  １．３ａ（Ｎｏｖ  ８  ２００６，  ＨＤＭＩ  Ｌｉｃｅｎｓｉｎｇ，  ＬＬＣ）
【非特許文献２】ＣＥＡ−８６１−Ｄ（Ｊｕｌ  ２００６，  Ｃｏｎｓｕｍｅｒ  Ｅｌｅｃｔｒｏｎｉｃｓ  Ａｓｓｏｃｉａｔｉｏｎ）
【発明の概要】
【発明が解決しようとする課題】
【００１２】
しかしながら、上記従来の技術に従えば、静止画を送信する際にも同じ映像のフレームを送り続けることになる。ＴＭＤＳ方式の伝送では、１のデータと０のデータとで正負の電流がツイストペアケーブル内を入れ替わるように流れるようにしてＮＲＺ（Ｎｏｎ  Ｒｅｔｕｒｎ  ｔｏ  Ｚｅｒｏ）方式の交流伝送を行う。【００１３】
図１０に示すように、トランスミッタＴｘでは、オープンドレインの２つの出力端子が、データＤのときとデータ／Ｄのときとで入れ替わりＯＮ状態となる。電流源Ｉから出力される電流が、データＤのときとデータ／Ｄのときとで、特性インピーダンスＺ０の伝送路を介してレシーバＲｘの差動入力に接続された２つの終端抵抗ＲＴのいずれを流れるかが異なり、差動入力電圧の正負が入れ替わるようになっている。２つの終端抵抗ＲＴは基準電圧ＡＶｃｃに接続されている。【００１４】
このように、ＴＭＤＳ方式の伝送では、各データが送受信されるごとに差動信号のスイングが発生する。しかも、ＴＭＤＳでは伝送特性を考慮して８ビットの映像信号をＴＭＤＳエンコーダにおいて１０ビットに変換するため、当該スイングの回数は非常に多くなる。従って、静止画表示において同じ映像のフレームを送り続ける間に多数回の１と０との変化が繰り返し起こり、トランスミッタおよびレシーバの動作による無駄な消費電力およびケーブルの充放電に伴う電力損失が発生することになる。【００１５】
また、同じ画像を繰り返し送受信している間は、送受信データのエンコーダやデコーダも同じ動作を繰り返しており、無駄な消費電力を増加させる。【００１６】
近年、上記のＨＤＭＩに代表されるデジタルインターフェースがデジタルカメラやスマートフォンなどの携帯機器に搭載されて高精細の映像を表示できるようになってきた。しかし携帯機器は電池で駆動しているため、連続的に映像表示のため出力していると、上述のように無駄な電力消費を伴って電源が早く消耗してしまう。【００１７】
以上のように、ベースバンド映像データの伝送を行う場合は、送受信を実際に行う物理インターフェースの消費電力が問題となる。【００１８】
本発明では、従来のＨＤＭＩ仕様に親和性の高い形態であり、かつ、より消費電力を低減させるベースバンド映像データの送信装置および受信装置ならびに送受信システムを提供することを目的とする。
【課題を解決するための手段】
【００１９】
本発明の送信装置は、映像信号を含む信号を受信装置に送信する送信装置であって、前記受信装置が保有している処理可能な映像仕様に関する情報を読み取り、前記受信装置が処理可能な前記映像信号を送信するように制御を行う制御部と、前記映像信号をベースバンド映像データとして送信する送信部とを備えており、前記映像信号が所定以上の複数フレームに亘って同じ映像を示す出力モードである場合に、前記制御部は、前記映像仕様に関する情報から前記受信装置が処理可能な水平解像度ならびに垂直解像度の情報、および、前記受信装置が処理可能なフレームレートの情報を読み取り、前記受信装置が処理可能な範囲から選択することのできる低減されたフレームレートを示す情報を前記映像信号のブランキング期間に前記映像信号に多重する制御を行い、前記送信部は、前記低減されたフレームレートで前記ベースバンド映像データを送信する。【００２０】
また、前記送信装置において、前記低減されたフレームレートを示す情報は、低減前のフレームレートに対する分周比に関する情報であってもよい。【００２１】
また、前記送信装置は、前記送信部がクロックを送信する場合に、前記出力モードにおいて前記クロックの伝送レートを低減変更しなくてもよい。【００２２】
また、本発明の受信装置は、映像信号を含む信号を受信する受信装置であって、処理可能なフレームレートの情報を含む処理可能な映像仕様に関する情報を記憶する記憶部と、ベースバンド映像データからなる映像信号を含む信号を受信する受信部と、前記受信部によって受信した前記映像信号が書き込まれるフレームメモリと、前記受信部から前記フレームメモリに前記映像信号を書き込む第１のタイミングと、前記フレームメモリから前記映像信号を読み出す第２のタイミングと、を生成する同期信号発生部とを備えており、前記受信部は、受信した前記映像信号のブランキング期間に水平解像度ならびに垂直解像度の情報、および、低減されたフレームレートを示す情報が重畳されている場合に、前記フレームレートを示す情報を前記同期信号発生部に出力し、前記同期信号発生部は、水平解像度ならびに垂直解像度の情報および、前記低減されたフレームレートを示す情報に従ったフレームレートで前記第１のタイミングを生成する。【００２３】
また、前記受信装置は、処理可能なフレームレートが２のべき乗で表される値を複数含む場合に、前記２のべき乗で表される各値に関するフレームレートの情報として、前記２のべき乗で表される値の最大値のみが前記記憶部に記憶されていてもよい。【００２４】
また、前記受信装置は、処理可能な所定のフレームレートが特定の複数の映像仕様に共通である場合に、前記所定のフレームレートに関する情報が前記特定の複数の映像仕様にのみ適用されることを示すマスクフィールドが前記記憶部に記憶されていてもよい。【００２５】
また、本発明の送受信システムは、映像信号を含む信号を送信する送信装置と、前記映像信号を含む信号を受信する受信装置とを備える送受信システムであって、前記送信装置は、前記受信装置が保有している処理可能な映像仕様に関する情報を読み取り、前記受信装置が処理可能な前記映像信号を送信するように制御を行う制御部と、前記映像信号をベースバンド映像データとして送信する送信部とを備えており、前記映像信号が所定の複数フレームに亘って同じ映像を示す出力モードである場合に、前記制御部は、前記映像仕様に関する情報から前記受信装置が処理可能な水平解像度ならびに垂直解像度の情報、および、前記受信装置が処理可能なフレームレートの情報を読み取り、前記受信装置が処理可能な範囲から選択することのできる低減されたフレームレートを示す情報を前記映像信号のブランキング期間に前記映像信号に多重する制御を行い、前記送信部は、前記低減されたフレームレートで前記ベースバンド映像データを送信し、前記受信装置は、前記処理可能なフレームレートの情報を含む前記処理可能な映像仕様に関する情報を記憶する記憶部と、前記送信装置から送信された前記映像信号を含む信号を受信する受信部と、前記受信部によって受信した前記映像信号が書き込まれるフレームメモリと、前記受信部から前記フレームメモリに前記映像信号を書き込む第１のタイミングと、前記フレームメモリから前記映像信号を読み出す第２のタイミングと、を生成する同期信号発生部とを備えており、前記受信部は、受信した前記映像信号のブランキング期間に水平解像度ならびに垂直解像度の情報、および、前記低減されたフレームレートを示す情報が重畳されている場合に、前記低減されたフレームレートを示す情報を前記同期信号発生部に出力し、前記同期信号発生部は、前記低減されたフレームレートを示す情報に従って前記低減されたフレームレートで前記第１のタイミングを生成する。
【発明の効果】
【００２６】
本発明のベースバンド映像データの送信装置、受信装置、および、送受信システムによれば、従来のＨＤＭＩ仕様に親和性の高い形態であり、かつ、より消費電力を低減させるベースバンド映像音声データ送受信システムを提供することができる。
【図面の簡単な説明】
【００２７】
【図１】図１は、本発明の実施形態を示すものであり、送信装置の構成を示すブロック図である。
【図２】図２は、本発明の実施形態を示すものであり、受信装置の構成を示すブロック図である。
【図３】図３は、本発明の実施形態を示すものであり、送受信装置の構成を示すブロック図である。
【図４】図４は、低減されたフレームレートで映像信号が伝送される様子を説明する図である。
【図５】図５は、低減されたフレームレートの情報が定義されたＶＳＤＢを含むＥＤＩＤの内容を説明する図である。
【図６】図６は、低減されたフレームレートの情報を記述したＩｎｆｏＦｒａｍｅの内容を説明する図である。
【図７】図７は、図１の送信装置の動作を説明するフローチャートである。
【図８】図８は、図２の受信装置の動作を説明するフローチャートである。
【図９】図９は、従来技術を示すものであり、ＨＤＭＩ仕様の送受信を行う送受信システムの構成を示すブロック図である。
【図１０】図１０は、従来技術を示すものであり、ＴＭＤＳ方式の伝送路の構成を示す回路図である。
【発明を実施するための形態】
【００２８】
本発明の実施の形態を図面を参照しながら以下に説明する。
【００２９】
なお、以下では、特に注記しない限り、ＨＤＭＩ仕様に適合した、送信装置および受信装置の概要を説明する。よって適宜ＨＤＭＩ仕様（非特許文献１、非特許文献２）を参照して以下の文言を解釈することができる。
【００３０】
図３に、本実施形態に係る、ベースバンド映像データからなる映像信号の送受信システム１の構成を示す。
【００３１】
送受信システム１は、送信装置２および受信装置３を備えている。送信装置２としてはデジタルカメラ、ビデオカメラ、ＤＶＤプレーヤなどが、また、受信装置３としてはテレビ受像器、モニタなどが該当する。
【００３２】
送信装置２はソース機器であり、マイクロコンピュータ２ａ、映像出力回路２ｂ、ＴＭＤＳ出力回路２ｃ、および、トランスミッタ２ｄを備えている。マイクロコンピュータ２ａは制御部を構成しており、映像出力回路２ｂ、ＴＭＤＳ出力回路２ｃ、および、トランスミッタ２ｄは送信部を構成している。受信装置３はシンク機器であり、情報記憶部（記憶部）３ａ、ＴＭＤＳ入力回路３ｂ、受信メモリ３ｃ、同期信号発生部３ｄ、および、フレームメモリ３ｅを備えている。ＴＭＤＳ入力回路３ｂおよび受信メモリ３ｃは受信部を構成している。
【００３３】
図１に、送信装置２の詳細な構成を示す。
【００３４】
マイクロコンピュータ２ａは、図示しないプロセッサおよびレジスタなどの他に、ピクセルクロック発生回路２１およびＮ分周回路２２を備えている。ピクセルクロック発生回路２１は、マイクロコンピュータ２ａの内部クロック発生回路が発生した内部クロックを用いて、基準とする映像仕様の解像度に合わせたレートのピクセルクロックを生成する。基準とする映像仕様の解像度は、後述する受信装置３の情報記憶部３ａからＤＤＣを介して読み出した映像仕様に関する情報のうち、受信装置３が処理可能な水平解像度ならびに垂直解像度の情報に従う。Ｎ分周回路２２は、読み出した当該映像仕様に関する情報のうち、受信装置３が処理可能なフレームレートに関する情報である分周比情報に従って規定されるフレームレートに従ったＴＭＤＳクロックを生成する。
【００３５】
Ｎ分周回路２２は、通常動画の映像データを受信装置３に送信する場合には、フレームレートに関する情報に規定された標準のフレームレートで規定されるＴＭＤＳクロックを生成する。すなわち、ピクセルクロック発生回路２ａが生成したピクセルクロックに対して分周比１としたＴＭＤＳクロックを生成して後段の回路へ出力する。一方、Ｎ分周回路２２は、送信装置２が静止画像、動画の一時停止画像、動画のスロー再生画像などの、所定以上の複数フレームに亘って同じ映像を示す出力モードである場合に、フレームレートに関する情報に規定された、標準のフレームレートよりもＮ分の１に低減されたフレームレートが存在すると、ピクセルクロック発生回路２ａが生成したピクセルクロックをＮ分周したＴＭＤＳクロックを生成して後段の回路へ出力する。また、Ｎ分周回路２２は、分周比情報に基づいてＮ分周動作を行う場合には分周比Ｎの情報を映像出力回路２ｂに出力する。
【００３６】
映像出力回路２ｂは、チャネルＣＨ０用データＤａ０、チャネルＣＨ１用データＤａ１、および、チャネルＣＨ２用データＤａ２保持する出力メモリを備えている。各チャネルのそれぞれにはＲ又はＧ又はＢの映像データｄａ１の伝送が割り当てられている。各チャネル用のデータは、当該映像データｄａ１と、音声データｄａ２と、制御データｄａ３とを含んでいる。これらの各チャネル用データは、送信装置２が備える記録媒体から読み出された圧縮データがデコードにより展開されたものや、外部から入力されたデータである。各チャネル用の映像データｄａ１は、受信装置３での表示駆動における表示期間に割り当てられたラスタスキャンデータである。各チャネルの音声データｄａ２および制御データｄａ３は、表示期間外の垂直ブランキング期間および水平ブランキング期間からなるブランキング期間に時間軸多重されたパケットデータである。
【００３７】
制御データｄａ３は、映像出力回路２ｂにおいて映像データまたは音声データの内容に応じて生成される。制御データｄａ３には、映像の同期に用いる同期信号、映像データや音声データの属性を示す属性データ、受信装置３の制御に用いられる制御信号などが含まれる。
【００３８】
属性データには受信装置３の制御に用いられる情報であるＩｎｆｏＦｒａｍｅというデータが含まれる。ＩｎｆｏＦｒａｍｅの中でも映像データ情報を用いて制御を行うために特化したＩｎｆｏＦｒａｍｅとしてＡＶＩ  Ｉｎｆｏｆｒａｍｅというものが存在する。ＡＶＩ  ＩｎｆｏＦｒａｍｅの内部に記述されるデータとしてＶＩＣが存在する。ＶＩＣに表現される内容の一つには映像のフレームレートが含まれる。制御データｄａ３を受信した受信装置３は、通常はこのＶＩＣに記述されたフレームレートで映像の表示を行う。
【００３９】
そして、映像出力回路２ｂは、Ｎ分周回路２２から分周比Ｎの情報を受け取った場合には、ＶＳＩＦ（Ｖｅｎｄｏｒ  Ｓｐｅｃｉｆｉｃ  ＩｎｆｏＦｒａｍｅ）内に分周比Ｎの値を記述したデータを制御データｄａ３に付加する。
【００４０】
このようにして、例えば、チャネルＣＨ０用データＤａ０には、映像データｄａ１、音声データｄａ２、同期信号および属性データからなる制御データｄａ３が含まれ、後述のようにチャネルＣＨ０により伝送される。チャネルＣＨ１用データＤａ１には、映像データｄａ１、音声データｄａ２、制御信号および属性データからなる制御データｄａ３が含まれ、後述のようにチャネルＣＨ１により伝送される。チャネルＣＨ２用データＤａ２には、映像データｄａ１、音声データｄａ２、制御信号および属性データからなる制御データｄａ３が含まれ、後述のようにチャネルＣＨ２により伝送される。クロックチャネルＣＫ−ＣＨではＴＭＤＳクロックが伝送される。
【００４１】
Ｎ分周回路２２から出力されたＴＭＤＳクロックのタイミングで、８ビットパラレルの映像データｄａ１、４ビットパラレルの音声データｄａ２、および、２ビットパラレルの制御データｄａ３がＴＭＤＳ出力回路２ｃに読み出される。ＴＭＤＳ出力回路２ｃは、チャネルＣＨ０用のＴＭＤＳエンコーダｅｎ０、チャネルＣＨ１用のＴＭＤＳエンコーダｅｎ１、および、チャネルＣＨ２用のＴＭＤＳエンコーダｅｎ２を備えている。チャネルＣＨ０用データＤａ０はＴＭＤＳエンコーダｅｎ０に入力され、チャネルＣＨ１用データＤａ１はＴＭＤＳエンコーダｅｎ１に入力され、チャネルＣＨ２用データＤａ２はＴＭＤＳエンコーダｅｎ２に入力される。
【００４２】
各エンコーダは、８ビット−１０ビット変換器ＢＴ１、４ビット−１０ビット変換器ＢＴ２、および、２ビット−１０ビット変換器ＢＴ３を備えている。映像データｄａ１は８ビット−１０ビット変換器ＢＴ１に入力されて１０ビットのデータに符号化される。音声データｄａ２は４ビット−１０ビット変換器ＢＴ２に入力されて１０ビットのデータに符号化される。制御データｄａ３は２ビット−１０ビット変換器ＢＴ３に入力されて１０ビットのデータに符号化される。
【００４３】
１０ビットに符号化された各データはトランスミッタ２ｄに出力される。トランスミッタ２ｄは、タイミング発生回路２３およびデータ選択／シリアル変換部２４を備えている。タイミング発生回路２３は、Ｎ分周回路２２から出力されたＴＭＤＳクロックから、トランスミッタ２ｄがＴＭＤＳ伝送路に出力するデータのタイミング信号を生成する。
【００４４】
データ選択／シリアル変換部２４は、１０ビットのパラレルデータである映像データｄａ１、音声データｄａ２、および、制御データｄａ３を、ＴＭＤＳクロックのタイミングで選択して伝送タイミングの順に並べることによりシリアルデータに変換する。そして、データ選択／シリアル変換部２４は、生成したシリアルデータを前記タイミング信号によって１ビットずつ出力バッファからＴＭＤＳ伝送路に出力する。データ選択／シリアル変換部２４は、例えばシリアライザにより実現可能である。
【００４５】
以上のようにして、各データが、チャネルＣＨ０（ＤＡＴＡ０）、チャネルＣＨ１（ＤＡＴＡ１）、および、チャネルＣＨ２（ＤＡＴＡ２）により伝送される。クロックチャネルＣＫ−ＣＨでは１０ビットごとのタイミングを規定するＴＭＤＳクロックが伝送される。
【００４６】
図２に、受信装置３の詳細な構成を示す。
【００４７】
情報記憶部３ａはＥＤＩＤを記憶している。ＥＤＩＤには受信装置３がサポートするビデオフォーマット、機能、特性などの、受信装置３が処理可能な映像仕様に関する情報が記述されている。本実施形態では、ＥＤＩＤのＶＳＤＢ（Ｖｅｎｄｏｒ  Ｓｐｅｃｉｆｉｃａｔｉｏｎ  Ｄａｔａ  Ｂｌｏｃｋ）に、新たに、標準のフレームレートの何分の１に低減されたフレームレートで受信可能であるかを記述する。記述された低減されたフレームレートが標準のフレームレートのＮ分の１であるとき、分周比情報としてＮの値がＤＤＣを介して送信装置２のマイクロコンピュータ２ａにより読み出される。受信装置３が処理可能な垂直解像度ならびに水平解像度を示す解像度情報もマイクロコンピュータ２ａにより読み出される。
【００４８】
ＴＭＤＳ入力回路３ｂは、データ分離／パラレル変換部３１およびＴＭＤＳデコーダ３２を備えている。データ分離／パラレル変換部３１は、ＴＭＤＳ伝送路を介してデータを図示しないレシーバにより受信し、受信した１０ビットの各シリアルデータどうしをクロックチャネルから受信したＴＭＤＳクロックを用いて分離し、さらに内部クロックを用いてパラレルデータに変換する。データ分離／パラレル変換部３１は、ＴＭＤＳクロックをＴＭＤＳデコーダ３２および同期信号発生部３ｄに出力する。データ分離／パラレル変換部３１は、例えばデシリアライザにより実現可能である。
【００４９】
ＴＭＤＳデコーダ３２は、１０ビットのパラレルデータを８ビットのパラレルデータにデコードする。ＴＭＤＳデコーダ３２は、チャネルＣＨ０用のＴＭＤＳデコーダｄｅ０、チャネルＣＨ１用のＴＭＤＳデコーダｄｅ１、および、チャネルＣＨ２用のＴＭＤＳデコーダｄｅ２を備えている。チャネルＣＨ０用データはＴＭＤＳデコーダｄｅ０に入力され、チャネルＣＨ１用データはＴＭＤＳデコーダｄｅ１に入力され、チャネルＣＨ２用データはＴＭＤＳデコーダｄｅ２に入力される。
【００５０】
各デコーダは、１０ビット−８ビット変換器ＢＴ１’、１０ビット−４ビット変換器ＢＴ２’、および、１０ビット−２ビット変換器ＢＴ３’を備えている。チャネルＣＨ０用データは１０ビット−８ビット変換器ＢＴ１’に入力されて８ビットの映像データｄａ１に復号される。チャネルＣＨ１用データは１０ビット−４ビット変換器ＢＴ２’に入力されて８ビットの音声データｄａ２に復号される。チャネルＣＨ２用データは１０ビット−２ビット変換器ＢＴ３’に入力されて２ビットの制御データｄａ３に復号される。こうしてデータＤａ０、Ｄａ１、Ｄａ２が復号される。ＴＭＤＳデコーダ３２は、受信した映像データを属性データまたは制御信号に基づいて、適宜加工する場合もある。
【００５１】
８ビットに復号されたデータＤａ０、Ｄａ１、Ｄａ２は受信メモリ３ｃに保持される。同期信号発生部３ｄはＮ逓倍回路３３を備えている。Ｎ逓倍回路３３は、受信メモリ３ｃに保持されている制御データｄａ３が水平解像度ならびに垂直解像度の情報および分周比Ｎの情報を保有していないか否かを確認する。Ｎ逓倍回路３３は、制御データｄａ３が分周比Ｎの情報を保有している場合には、データ分離／パラレル変換部３１から出力されたＴＭＤＳクロックをＮ逓倍したピクセルクロックを生成する。Ｎ逓倍回路３３は、制御データｄａ３が分周比Ｎの情報を保有していない場合には、Ｎ＝１としてピクセルクロックを生成する。同期信号発生部３ｄは、この他に、制御データｄａ３が保有している、送信装置２から受信した同期信号および制御信号の情報から、垂直同期信号および水平同期信号を含む、表示駆動に用いる各種のタイミング信号を生成する。
【００５２】
同期信号発生部３ｄは、Ｎ逓倍回路３３によって生成したピクセルクロックのタイミング（第１のタイミング）で、受信メモリ３ｃから１フレーム分の映像データを読み出してフレームメモリ３ｅに書き込む。受信メモリ３ｃに新しいフレームのデータが保持されるまでは、フレームメモリ３ｅに同じ映像データｄａ１が保持され、Ｎ逓倍回路３３によって生成されたピクセルクロックのタイミング（第２のタイミング）で同じ映像データｄａ１がＮ回繰り返し読み出されて表示装置への出画に用いられる。第１のタイミングは、ピクセルクロックのうちの、フレームメモリ３ｅに同じ映像データｄａ１が保持される間を除く期間のタイミングである点で、第２のタイミングとは異なっている。受信メモリ３ｃに新しいフレームのデータが保持されるまでフレームメモリ３ｅに同じ映像データｄａ１が保持されるように、制御データｄａ３から読み出される分周比Ｎの情報がフレームメモリ３ｅにも供給される。
【００５３】
上記の受信装置３には、情報記憶部３ａがＥＤＩＤに記述する項目が追加されただけの構成であるとともに、Ｎ逓倍回路３３が同期クロックを発生させる周波数シンセサイザの分周比を変更するなどして実現可能な構成であることから、従来の受信装置の構成をほぼそのまま利用することができるという利点がある。
【００５４】
（消費電力低減の為の構成について）
以下に、図１ないし図３の構成により、従来のＨＤＭＩ仕様に情報を加えることで、消費電力低減を実現できることの説明を行う。
【００５５】
ＨＤＭＩ仕様に適合した送信装置では、ＶＩＣを用いてフレームレートを受信装置へ送信している。ここで、静止画などの、所定以上の複数フレームに亘る同じ映像を出力する場合には、従来ならば同じ映像を当該フレームレートで表示し続けることになる。しかし、本実施の形態においては、送信装置２は従来のフレームレートよりも遅いレートで映像信号を伝送する。そして受信装置３は従来よりも遅いレートで伝送された映像信号を通常のフレームレートで出画する。このようにして、伝送路に流れるデータ数を削減し、かつ、表示される映像のフレームレートを低下させないようにすることができる。伝送路に流れるデータ数を削減することができるので、送受信を実際に行う物理インターフェースの消費電力が低減される。
【００５６】
図４は、送受信システム１によるフレームレートの低減を説明する概念図である。１／６０秒（６０Ｈｚ）のフレームレートで送信している場合には約１６ミリ秒ごとに映像データが伝送される。これに対して、例えば分周比Ｎ＝８の場合には、８／６０秒（約７．５Ｈｚ）のフレームレートで送信することになるため、８フレーム期間＝１３３ミリ秒の伝送間隔が空くことになる。例えば４ｋ／３０ｐの表示を行う場合に、通常のフレームレートでは２．９７Ｇｂｐｓの伝送レートであるが、Ｎ＝８の場合にはその約８分の１の３７０Ｍｂｐｓの伝送レートとなる。
【００５７】
（ＥＤＩＤへの新規データ記載について）
図５に、情報記憶部３ａがＥＤＩＤとして新たに通常のフレームレートの何分の１のフレームレートが受信可能であるかを記述する場合の具体例を示す。図５は、ＶＳＤＢのデータ構造を示す。１バイトの大きさからなるバイトブロックが順に並び、先頭ブロック側にヘッダ情報や記憶アドレスなどが定義されている。下位のｎブロック以降に示されるバイトブロックには、Ｒｓｖｄ（０）で表される予約ビット領域が存在している。本実施形態では、この予約ビット領域中に、低減されたフレームレートで処理が可能であることを示す「Ｌｏｗ＿Ｒｅｆｌｅｓｈ」を例えば１ビット分を用いて定義する。そして、さらに後段のブロックにおいて、処理可能な低減されたフレームレートがどのような値であるかを示すＮの値が記述される。
【００５８】
ここではＮは送信装置２がＴＭＤＳクロックを生成するための分周比である。Ｎ＝２であれば分周比として２のみが可能であることを示し、Ｎ＝８であれば分周比として２、４、８の３通りを取ることが可能であることを示している。Ｎを取り得る値の数だけ個別のバイトブロックに記述してもよいが、処理可能なフレームレートが２のべき乗で表される値を複数含む場合に、２のべき乗で表される各値に関するフレームレートの情報として、２のべき乗で表される値の最大値のみを記述することにより、ＥＤＩＤの記憶サイズの拡大を抑制することができる。ＥＤＩＤを記憶するＲＯＭは一般に２５６バイト程度の記憶容量の小さい有限エリアしかないため、予約ビット領域に余裕が無いのが通常であり、本機能の実現の為に消費する記憶サイズの拡大の抑制によって、他の機能の実現の為に消費する記憶エリアの確保を可能できるという効果がある。
【００５９】
このようにＥＤＩＤ中に受信装置３が処理可能な低減されたフレームレートの情報を記述して送信装置２に読取り可能とすることにより、送信装置２が受信装置３の受信可能ではないフレームレートの信号を送信してしまうことが防止される。
【００６０】
また、処理可能な所定のフレームレートが特定の複数の映像仕様に共通である場合に、所定のフレームレートに関する情報が特定の複数の映像仕様にのみ適用されることを示すマスクフィールドが前記情報記憶部３ａに記憶されるようにしてもよい。例えば分周比Ｎが全てのＶＩＣリストに適用可能ではなく、そのうちの特定の複数のＶＩＣリストにのみ適用可能であるならば、全てのＶＩＣ番号から特定の複数のＶＩＣ番号のみを抜き出すマスクデータをマスクフィールドに記述するようにする。これにより、ＥＤＩＤの記憶サイズの拡大をさらに抑制することができる。
【００６１】
（新たなＩｎｆｏ  Ｆｒａｍｅの創設について）
前述したように、送信装置２では、属性データの一つとして新たなＩｎｆｏＦｒａｍｅが定義される。当該ＩｎｆｏＦｒａｍｅ（以下新ＩｎｆｏＦｒａｍｅと呼ぶ）にはフレームレートをどの程度遅くするのかについての記述が行われる。具体的な一例として、ＶＩＣに記載したフレームレートの何分の１で映像信号を送信するのかをＶＳＩＦに記述する場合に、例えばＶＩＣに記載したフレームレートが６０Ｈｚであって、送信するフレームレートが７．５Ｈｚであれば、新Ｉｎｆｏ  Ｆｒａｍｅには８と記載する。
【００６２】
このようにすると次のような利点がある。すなわち、受信装置３はＶＩＣに記載されたフレームレートと新ＩｎｆｏＦｒａｍｅに記載された数値とを演算することで、容易に、どの程度フレームレートが低減されているのかを知ることができる。また、受信装置３は本来出画すべきフレームレートについては従来のＨＤＭＩ仕様に適合した方式で知ることができる。
【００６３】
図６に、ＶＳＩＦ内に分周比Ｎの値を記述する具体例を示す。１バイトの大きさからなるバイトブロックが順に並び、先頭ブロック側にヘッダ情報や記憶アドレスなどが定義されている。ブロックＰＢ４の第５ビットから第７ビットにかけて、ビデオフォーマットの種類が記述されており、例えばビデオフォーマットの種類を「Ｌｏｗ  Ｒｅｆｌｅｓｈモード」であることを示す「１００」として図６中のＨＤＭＩ＿Ｖｉｄｅｏ＿Ｆｏｒｍａｔフィールド３ビットを用いて記述する。この「１００」は、例えばＨＤＭＩのビデオフォーマットの種類を定義するために予約された番号の中から選択して定義することが可能である。続くブロックＰＢ５では、ブロックＰＢ４で定義された「Ｌｏｗ  Ｒｅｆｌｅｓｈモード」がどのような値のＮになるのかが「Ｄ」として記述される。ここで、受信装置３のＥＤＩＤにおいてＮ＝８のように複数の分周比が処理可能であることが示されている場合に、「Ｄ」として記述するＮとしては、２、４、８のように受信装置３が処理可能な範囲から１つを選択することが可能である。
【００６４】
いま、この新ＩｎｆｏＦｒａｍｅとは別に伝送されているＡＶＩ＿ＩｎｆｏＦｒａｍｅ内で伝送されるＶＩＣ値によって一意に定義されるフレームレート値がＡであるとしたとき、この「Ｄ」値との組み合わせで、現在伝送されているＨＤＭＩ信号のフレームレートは、ＡのＤ分の１（＝Ａ／Ｄ）であることを表す。なお、伝送される映像の水平解像度及び垂直解像度は、もとのＶＩＣ値によって定義された値からの変更はない。
【００６５】
もちろんＶＩＣおよび新ＩｎｆｏＦｒａｍｅを利用せずに、他の方式を用いて伝送される映像の出画すべきフレームレートと水平解像度及び垂直解像度とを別途、送信装置２が受信装置３に知らせてもよい。例えば信号線を増設して当該レートを伝える方式が考えられる。しかし新ＩｎｆｏＦｒａｍｅを用いた方式は従来のＨＤＭＩ機器の構成を踏襲することが可能であり、かつ、演算量が少ないという利点がある。
【００６６】
（クロックチャネルの継続について）
従来のＨＤＭＩ仕様によれば、クロックチャネルでは映像信号のクロックが伝送される。ここで、本実施の形態のように本来のフレームレートより遅いフレームレートで伝送系を構成する場合は、クロックも当然に遅くなる。前述の送受信システム１では、ＴＭＤＳクロックをＮ分の１のレートで伝送した。しかしここで、クロックチャネルで伝送するクロックを本来の映像信号のクロックで伝送しても構わない。すなわち、例えば１０８０ｐ／６０Ｈｚの映像であれば映像信号クロックは１４８．５ＭＨｚがクロックスピードであるが、フレームレートを下げた場合もこのクロックを伝送し続けるということである。このようにすると、受信側でのクロック生成回路を従来と同じ構成で実現可能となる利点がある。
【００６７】
ＴＭＤＳクロックをＮ分の１のレートで伝送する場合も元のクロックレートのまま伝送する場合も、共に、クロックおよび映像データの送出は連続的に行われるものとする。元のクロックレートのまま伝送する場合には、元のＮ分の１のレートではない映像信号に切り替わった場合にも、受信側でのクロックの再引き込みの必要性がなくなり、シームレスな出画を可能とすることができる。制御データｄａ３に分周比Ｎの情報を含ませたので、受信装置３側でフレームレートが低減されたことは認識可能であることから、クロックの伝送レートが変更されないことは受信障害とはならない。
【００６８】
図７に、送信装置２の動作を説明するフローチャートを示す。これらの動作は制御プラグラムあるいはハードアエア動作のいずれでも実現可能である。
【００６９】
マイクロコンピュータ２ａは、電源立ち上げ時やケーブルが接続された時等に受信装置３中にある情報記憶部３ａから、低フレームレートで受信可能かどうかを読み取る（ステップＳ７０１）。読み取った結果、低フレームレートでの受信ができない場合は従来のＨＤＭＩ伝送方式で伝送すべきであると判断する（Ｓ７１０）。映像信号出力回路２ｂの出力が静止画やフレームレートが低い等、低フレームレート伝送可能モードであるときに、本実施形態の低フレームレートモードでの伝送が開始される（Ｓ７０２）。
【００７０】
マイクロコンピュータ２ａは、各データと、クロックと、映像信号が低フレーム伝送モードであることの制御信号をブランキング期間のパケット（ＩｎｆｏＦｒａｍｅ）に出力し（Ｓ７０３）、低フレームレート伝送モードでなかった場合は、従来のＨＤＭＩ伝送方式で伝送すべきであると判断する（Ｓ７１０）。
【００７１】
次に図８に、受信装置３の動作を説明するフローチャートを示す。これらの動作は制御プラグラムあるいはハードウエア動作のいずれでも実現可能である。
【００７２】
伝送される映像信号のブランキング期間のパケット（新ＩｎｆｏＦｒａｍｅ）に低フレームレート伝送モードであることを示す情報が重畳されているかどうかの信号を読み取り（Ｓ８０１）、低フレームレート伝送モードでなかった場合は従来のＨＤＭＩ受信を行う（Ｓ８１０）。
【００７３】
低フレームレート伝送モードのフラグを検出したら、送信装置２から伝送されてくる映像信号を受信メモリ３ｃの領域ｎ＋１にビデオ映像を書き込む（Ｓ８０２）。このとき映像信号のフレームメモリ３ｅへの読み出し（表示）は、前回の映像更新時に記憶した受信メモリ３ｃの領域ｎのビデオデータを読み出している。
【００７４】
受信メモリ３ｃへの映像信号の書き込みが完了すると、受信メモリ３ｃの領域ｎ＋１から映像信号を表示するための同期信号発生回路３ｄで発生された同期信号によって、フレームメモリ３ｅから読み出し表示される（Ｓ８０３）。
【００７５】
以上、本実施形態について説明した。
【００７６】
本実施形態の構成は、図１に記載の情報記憶部３ａがＣＥＣ（Ｃｏｎｓｕｍｅｒ  Ｅｌｅｃｔｒｏｎｉｃｓ  Ｃｏｎｔｒｏｌ）による通信で実施されるものも含む。
【００７７】
なお、ＤＰ（ＤｉｓｐｌａｙＰｏｒｔ：ディスプレイポート）技術において行われる非圧縮映像データのメインリンクによる伝送において、ブランキング期間に同様のデータを挿入してもよい。ＤＰでは、シンクからソースへのＥＤＩＤの読み込みはＡＵＸチャネルを通して行われる。非同期伝送であるのでクロックチャネルは存在しない。また、ＤＶＩ（Ｄｉｇｉｔａｌ  Ｖｉｓｕａｌ  Ｉｎｔｅｒｆａｃｅ）において行われる非圧縮映像データのＴＭＤＳ伝送において、ブランキング期間に同様のデータを挿入してもよい。ＤＶＩでは、シンクからソースへのＥＤＩＤの読み込みはＤＤＣ（Ｄｉｄｓｐｌａｙ  Ｄａｔａ  Ｃｈａｎｎｅｌ）を通して行われる。これらの伝送仕様以外の非圧縮データ伝送であってもよいし、無線による非圧縮データ伝送であってもよい。
【００７８】
また、送信装置と受信装置との通信の間にリピータが介在してもよい。
【産業上の利用可能性】
【００７９】
本発明は、従来のＨＤＭＩ仕様に適合させる形で、静止画を伝送する伝送方式として特に有用である。
【符号の説明】
【００８０】
１        送受信システム
２        送信装置
２ａ      マイクロコンピュータ
３        受信装置
３ａ      情報記憶部
３ｄ      同期信号発生部
３ｅ      フレームメモリ
Ｎ        分周比
【図１】
2013076881.tif 000003
【図２】
2013076881.tif 000004
【図３】
2013076881.tif 000005
【図４】
2013076881.tif 000006
【図５】
2013076881.tif 000007
【図６】
2013076881.tif 000008
【図７】
2013076881.tif 000009
【図８】
2013076881.tif 000010
【図９】
2013076881.tif 000011
【図１０】
2013076881.tif 000012
【手続補正書】
【提出日】平成26年3月14日(2014.3.14)
【手続補正１】
【補正対象書類名】明細書
【補正対象項目名】全文
【補正方法】変更
【補正の内容】
【発明の詳細な説明】
【技術分野】
【０００１】
本発明は少なくともベースバンド映像データの送受信が可能なベースバンド映像データ送受信システムに関する。より詳しくは、低消費電力で映像データを送受信可能なベースバンド映像音声データ送受信システムと、当該システムを構成する送信装置および受信装置とに関する。
【背景技術】
【０００２】
近年、ベースバンド映像音声データ送受信システムの為の伝送仕様としてＨＤＭＩ（登録商標、以下同様）仕様が知られている。ベースバンドとは非圧縮を意味する。
【０００３】
ＨＤＭＩ仕様では３つのチャネルを用いて、映像データを伝送している。さらに各映像データに音声データまたは制御に用いるデータを時間軸多重して伝送を行っている（例えば非特許文献１、非特許文献２参照）。
【０００４】
図９に、ＨＤＭＩ仕様に準拠した構成を備える送受信システム１０１の構成を示す。送受信システム１０１は、送信装置１０２および受信装置１０３を備えている。送信装置１０２としてはデジタルカメラ、ビデオカメラ、ＤＶＤプレーヤなどが、また、受信装置１０３としてはテレビ受像器、モニタなどが該当する。
【０００５】
送信装置１０２はソース機器であり、マイクロコンピュータ１０２ａ、映像出力回路１０２ｂ、ＴＭＤＳ出力回路１０２ｃ、および、トランスミッタ１０２ｄを備えている。受信装置１０３はシンク機器であり、情報記憶部１０３ａ、ＴＭＤＳ入力回路１０３ｂ、メモリ１０３ｃ、および、同期発生回路１０３ｄを備えている。
【０００６】
送信装置１０２においては、マイクロコンピュータ１０２ａが受信装置１０３のＲＯＭで構成される情報記憶部１０３ａに格納されたＥＤＩＤ（Ｅｘｔｅｎｄｅｄ  Ｄｉｓｐｌａｙ  Ｉｄｅｎｔｉｆｉｃａｔｉｏｎ  Ｄａｔａ）を、ＤＤＣ（Ｄｉｓｐｌａｙ  Ｄａｔａ  Ｃｈａｎｎｅｌ）を介して読み込み、受信装置１０３がＨＤＭＩ仕様のどのような仕様に対応しているのかを確認している。ＥＤＩＤには、例えば受信装置１０３が表示することができるビデオフォーマットが記載されている。このビデオフォーマットはＶＩＣ（Ｖｉｄｅｏ  Ｉｄｅｎｔｉｆｉｃａｔｉｏｎ  Ｃｏｄｅ：ビデオ識別コード）によって特定される（詳細は非特許文献２を参照）。ビデオフォーマットには解像度やフィールドレートが含まれる。
【０００７】
また、マイクロコンピュータ１０２ａは機器内の信号処理制御を行っており、例えば映像出力回路１０２ｂに機器内部に備えられた記録媒体から記録データを読み出してメモリ上に映像データや音声データを展開する制御を行う。マイクロコンピュータ１０２ａは受信装置１０３からＥＤＩＤを受けとった後に、デジタルビデオ信号を生成する。また、当該デジタルビデオ信号のビデオフォーマットを特定するＶＩＣを生成する。当該ＶＩＣはＡＶＩ  ＩｎｆｏＦｒａｍｅというパケットで伝送される。
【０００８】
ＴＭＤＳ出力回路１０２ｃは映像出力回路１０２ｂから出力される非圧縮データのエンコードおよびパラレルシリアル変換を行う。トランスミッタ１０２ｄはＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）方式により、シリアルデータを伝送路に出力する。
【０００９】
ＴＭＤＳ伝送路においては、３つのデータチャネル（ＤＡＴＡ０、ＤＡＴＡ１、ＤＡＴＡ２）および１つのクロックチャネルが用いられる。各データチャネルはＲデータ，Ｇデータ，Ｂデータのいずれかの映像データ、音声データ、および、制御データはトランスミッタ１０２ｄにより差動信号に変換されて伝送される。差動信号とは、１信号のＨｉ／Ｌｏを２信号の電圧差で表現する信号である。映像データは表示期間に割り当てられてラスタスキャンデータとして伝送される。音声データおよび制御データは垂直ブランキング期間および水平ブランキング期間からなるブランキング期間に割り当てられてパケットデータとして伝送される。制御データはＡＶＩ  ＩｎｆｏＦｒａｍｅパケットとして伝送される。
【００１０】
受信装置１０３においては、ＴＭＤＳ入力回路１０３ｂが、図示しないレシーバによりＴＭＤＳデータおよびクロックを受信してシリアルパラレル変換を行った後に各データのデコードを行う。デコードされたデータはメモリ１０３ｃ内の受信メモリに保持され、同期発生回路１０３ｄが伝送されたピクセルクロックを基に、映像データが受信メモリからメモリ１０３ｃ内のフレームメモリに書き込まれる。受信とともにＡＶＩ  ＩｎｆｏＦｒａｍｅパケットが解析される。フレームメモリに書き込まれたデータは、ＡＶＩ  ＩｎｆｏＦｒａｍｅに記述されたビデオフォーマットに従い、同期発生回路１０３ｄで生成される各種のタイミング信号によって映像表示に用いられ、受信メモリに保持された音声データは音声出力に用いられる。
【先行技術文献】
【非特許文献】
【００１１】
【非特許文献１】Ｈｉｇｈ−Ｄｅｆｉｎｉｔｉｏｎ  Ｍｕｌｔｉｍｅｄｉａ  Ｉｎｔｅｒｆａｃｅ  Ｓｐｅｃｉｆｉｃａｔｉｏｎ  Ｖｅｒｓｉｏｎ  １．３ａ（Ｎｏｖ  ８  ２００６，  ＨＤＭＩ  Ｌｉｃｅｎｓｉｎｇ，  ＬＬＣ）
【非特許文献２】ＣＥＡ−８６１−Ｄ（Ｊｕｌ  ２００６，  Ｃｏｎｓｕｍｅｒ  Ｅｌｅｃｔｒｏｎｉｃｓ  Ａｓｓｏｃｉａｔｉｏｎ）
【発明の概要】
【発明が解決しようとする課題】
【００１２】
しかしながら、上記従来の技術に従えば、静止画を送信する際にも同じ映像のフレームを送り続けることになる。ＴＭＤＳ方式の伝送では、１のデータと０のデータとで正負の電流がツイストペアケーブル内を入れ替わるように流れるようにしてＮＲＺ（Ｎｏｎ  Ｒｅｔｕｒｎ  ｔｏ  Ｚｅｒｏ）方式の交流伝送を行う。
【００１３】
図１０に示すように、トランスミッタＴｘでは、オープンドレインの２つの出力端子が、データＤのときとデータ／Ｄのときとで入れ替わりＯＮ状態となる。電流源Ｉから出力される電流が、データＤのときとデータ／Ｄのときとで、特性インピーダンスＺ０の伝送路を介してレシーバＲｘの差動入力に接続された２つの終端抵抗ＲＴのいずれを流れるかが異なり、差動入力電圧の正負が入れ替わるようになっている。２つの終端抵抗ＲＴは基準電圧ＡＶｃｃに接続されている。
【００１４】
このように、ＴＭＤＳ方式の伝送では、各データが送受信されるごとに差動信号のスイングが発生する。しかも、ＴＭＤＳでは伝送特性を考慮して８ビットの映像信号をＴＭＤＳエンコーダにおいて１０ビットに変換するため、当該スイングの回数は非常に多くなる。従って、静止画表示において同じ映像のフレームを送り続ける間に多数回の１と０との変化が繰り返し起こり、トランスミッタおよびレシーバの動作による無駄な消費電力およびケーブルの充放電に伴う電力損失が発生することになる。
【００１５】
また、同じ画像を繰り返し送受信している間は、送受信データのエンコーダやデコーダも同じ動作を繰り返しており、無駄な消費電力を増加させる。
【００１６】
近年、上記のＨＤＭＩに代表されるデジタルインターフェースがデジタルカメラやスマートフォンなどの携帯機器に搭載されて高精細の映像を表示できるようになってきた。しかし携帯機器は電池で駆動しているため、連続的に映像表示のため出力していると、上述のように無駄な電力消費を伴って電源が早く消耗してしまう。
【００１７】
以上のように、ベースバンド映像データの伝送を行う場合は、送受信を実際に行う物理インターフェースの消費電力が問題となる。
【００１８】
本発明では、従来のＨＤＭＩ仕様に親和性の高い形態であり、かつ、より消費電力を低減させるベースバンド映像データの送信装置および受信装置ならびに送受信システムを提供することを目的とする。
【課題を解決するための手段】
【００１９】
本発明の送信装置は、映像信号を含む信号を受信装置に送信する送信装置であって、前記受信装置が保有している処理可能な映像仕様に関する情報を読み取り、前記受信装置が処理可能な前記映像信号を送信するように制御を行う制御部と、前記映像信号をベースバンド映像データとして送信する送信部とを備えており、前記映像信号が所定以上の複数フレームに亘って同じ映像を示す出力モードである場合に、前記制御部は、前記映像仕様に関する情報から前記受信装置が処理可能な水平解像度ならびに垂直解像度の情報、および、前記受信装置が処理可能なフレームレートの情報を読み取り、前記受信装置が処理可能な範囲から選択することのできる低減されたフレームレートを示す情報を前記映像信号のブランキング期間に前記映像信号に多重する制御を行い、前記送信部は、前記低減されたフレームレートで前記ベースバンド映像データを送信する。
【００２０】
また、前記送信装置において、前記低減されたフレームレートを示す情報は、低減前のフレームレートに対する分周比に関する情報であってもよい。
【００２１】
また、前記送信装置は、前記送信部がクロックを送信する場合に、前記出力モードにおいて前記クロックの伝送レートを低減変更しなくてもよい。
【００２２】
また、本発明の受信装置は、映像信号を含む信号を受信する受信装置であって、処理可能なフレームレートの情報を含む処理可能な映像仕様に関する情報を記憶する記憶部と、ベースバンド映像データからなる映像信号を含む信号を受信する受信部と、前記受信部によって受信した前記映像信号が書き込まれるフレームメモリと、前記受信部から前記フレームメモリに前記映像信号を書き込む第１のタイミングと、前記フレームメモリから前記映像信号を読み出す第２のタイミングと、を生成する同期信号発生部とを備えており、前記受信部は、受信した前記映像信号のブランキング期間に水平解像度ならびに垂直解像度の情報、および、低減されたフレームレートを示す情報が重畳されている場合に、前記フレームレートを示す情報を前記同期信号発生部に出力し、前記同期信号発生部は、水平解像度ならびに垂直解像度の情報および、前記低減されたフレームレートを示す情報に従ったフレームレートで前記第１のタイミングを生成する。
【００２３】
また、前記受信装置は、処理可能なフレームレートが２のべき乗で表される値を複数含む場合に、前記２のべき乗で表される各値に関するフレームレートの情報として、前記２のべき乗で表される値の最大値のみが前記記憶部に記憶されていてもよい。
【００２４】
また、前記受信装置は、処理可能な所定のフレームレートが特定の複数の映像仕様に共通である場合に、前記所定のフレームレートに関する情報が前記特定の複数の映像仕様にのみ適用されることを示すマスクフィールドが前記記憶部に記憶されていてもよい。
【００２５】
また、本発明の送受信システムは、映像信号を含む信号を送信する送信装置と、前記映像信号を含む信号を受信する受信装置とを備える送受信システムであって、前記送信装置は、前記受信装置が保有している処理可能な映像仕様に関する情報を読み取り、前記受信装置が処理可能な前記映像信号を送信するように制御を行う制御部と、前記映像信号をベースバンド映像データとして送信する送信部とを備えており、前記映像信号が所定以上の複数フレームに亘って同じ映像を示す出力モードである場合に、前記制御部は、前記映像仕様に関する情報から前記受信装置が処理可能な水平解像度ならびに垂直解像度の情報、および、前記受信装置が処理可能なフレームレートの情報を読み取り、前記受信装置が処理可能な範囲から選択することのできる低減されたフレームレートを示す情報を前記映像信号のブランキング期間に前記映像信号に多重する制御を行い、前記送信部は、前記低減されたフレームレートで前記ベースバンド映像データを送信し、前記受信装置は、前記処理可能なフレームレートの情報を含む前記処理可能な映像仕様に関する情報を記憶する記憶部と、前記送信装置から送信された前記映像信号を含む信号を受信する受信部と、前記受信部によって受信した前記映像信号が書き込まれるフレームメモリと、前記受信部から前記フレームメモリに前記映像信号を書き込む第１のタイミングと、前記フレームメモリから前記映像信号を読み出す第２のタイミングと、を生成する同期信号発生部とを備えており、前記受信部は、受信した前記映像信号のブランキング期間に水平解像度ならびに垂直解像度の情報、および、前記低減されたフレームレートを示す情報が重畳されている場合に、前記低減されたフレームレートを示す情報を前記同期信号発生部に出力し、前記同期信号発生部は、前記低減されたフレームレートを示す情報に従って前記低減されたフレームレートで前記第１のタイミングを生成する。
【発明の効果】
【００２６】
本発明のベースバンド映像データの送信装置、受信装置、および、送受信システムによれば、従来のＨＤＭＩ仕様に親和性の高い形態であり、かつ、より消費電力を低減させるベースバンド映像音声データ送受信システムを提供することができる。
【図面の簡単な説明】
【００２７】
【図１】図１は、本発明の実施形態を示すものであり、送信装置の構成を示すブロック図である。
【図２】図２は、本発明の実施形態を示すものであり、受信装置の構成を示すブロック図である。
【図３】図３は、本発明の実施形態を示すものであり、送受信装置の構成を示すブロック図である。
【図４】図４は、低減されたフレームレートで映像信号が伝送される様子を説明する図である。
【図５】図５は、低減されたフレームレートの情報が定義されたＶＳＤＢを含むＥＤＩＤの内容を説明する図である。
【図６】図６は、低減されたフレームレートの情報を記述したＩｎｆｏＦｒａｍｅの内容を説明する図である。
【図７】図７は、図１の送信装置の動作を説明するフローチャートである。
【図８】図８は、図２の受信装置の動作を説明するフローチャートである。
【図９】図９は、従来技術を示すものであり、ＨＤＭＩ仕様の送受信を行う送受信システムの構成を示すブロック図である。
【図１０】図１０は、従来技術を示すものであり、ＴＭＤＳ方式の伝送路の構成を示す回路図である。
【発明を実施するための形態】
【００２８】
本発明の実施の形態を図面を参照しながら以下に説明する。
【００２９】
なお、以下では、特に注記しない限り、ＨＤＭＩ仕様に適合した、送信装置および受信装置の概要を説明する。よって適宜ＨＤＭＩ仕様（非特許文献１、非特許文献２）を参照して以下の文言を解釈することができる。
【００３０】
図３に、本実施形態に係る、ベースバンド映像データからなる映像信号の送受信システム１の構成を示す。
【００３１】
送受信システム１は、送信装置２および受信装置３を備えている。送信装置２としてはデジタルカメラ、ビデオカメラ、ＤＶＤプレーヤなどが、また、受信装置３としてはテレビ受像器、モニタなどが該当する。
【００３２】
送信装置２はソース機器であり、マイクロコンピュータ２ａ、映像出力回路２ｂ、ＴＭＤＳ出力回路２ｃ、および、トランスミッタ２ｄを備えている。マイクロコンピュータ２ａは制御部を構成しており、映像出力回路２ｂ、ＴＭＤＳ出力回路２ｃ、および、トランスミッタ２ｄは送信部を構成している。受信装置３はシンク機器であり、情報記憶部（記憶部）３ａ、ＴＭＤＳ入力回路３ｂ、受信メモリ３ｃ、同期信号発生部３ｄ、および、フレームメモリ３ｅを備えている。ＴＭＤＳ入力回路３ｂおよび受信メモリ３ｃは受信部を構成している。
【００３３】
図１に、送信装置２の詳細な構成を示す。
【００３４】
マイクロコンピュータ２ａは、図示しないプロセッサおよびレジスタなどの他に、ピクセルクロック発生回路２１およびＮ分周回路２２を備えている。ピクセルクロック発生回路２１は、マイクロコンピュータ２ａの内部クロック発生回路が発生した内部クロックを用いて、基準とする映像仕様の解像度に合わせたレートのピクセルクロックを生成する。基準とする映像仕様の解像度は、後述する受信装置３の情報記憶部３ａからＤＤＣを介して読み出した映像仕様に関する情報のうち、受信装置３が処理可能な水平解像度ならびに垂直解像度の情報に従う。Ｎ分周回路２２は、読み出した当該映像仕様に関する情報のうち、受信装置３が処理可能なフレームレートに関する情報である分周比情報に従って規定されるフレームレートに従ったＴＭＤＳクロックを生成する。
【００３５】
Ｎ分周回路２２は、通常動画の映像データを受信装置３に送信する場合には、フレームレートに関する情報に規定された標準のフレームレートで規定されるＴＭＤＳクロックを生成する。すなわち、ピクセルクロック発生回路２１が生成したピクセルクロックに対して分周比１としたＴＭＤＳクロックを生成して後段の回路へ出力する。一方、Ｎ分周回路２２は、送信装置２が静止画像、動画の一時停止画像、動画のスロー再生画像などの、所定以上の複数フレームに亘って同じ映像を示す出力モードである場合に、フレームレートに関する情報に規定された、標準のフレームレートよりもＮ分の１に低減されたフレームレートが存在すると、ピクセルクロック発生回路２１が生成したピクセルクロックをＮ分周したＴＭＤＳクロックを生成して後段の回路へ出力する。また、Ｎ分周回路２２は、分周比情報に基づいてＮ分周動作を行う場合には分周比Ｎの情報を映像出力回路２ｂに出力する。
【００３６】
映像出力回路２ｂは、チャネルＣＨ０用データＤａ０、チャネルＣＨ１用データＤａ１、および、チャネルＣＨ２用データＤａ２保持する出力メモリを備えている。各チャネルのそれぞれにはＲ又はＧ又はＢの映像データｄａ１の伝送が割り当てられている。各チャネル用のデータは、当該映像データｄａ１と、音声データｄａ２と、制御データｄａ３とを含んでいる。これらの各チャネル用データは、送信装置２が備える記録媒体から読み出された圧縮データがデコードにより展開されたものや、外部から入力されたデータである。各チャネル用の映像データｄａ１は、受信装置３での表示駆動における表示期間に割り当てられたラスタスキャンデータである。各チャネルの音声データｄａ２および制御データｄａ３は、表示期間外の垂直ブランキング期間および水平ブランキング期間からなるブランキング期間に時間軸多重されたパケットデータである。
【００３７】
制御データｄａ３は、映像出力回路２ｂにおいて映像データまたは音声データの内容に応じて生成される。制御データｄａ３には、映像の同期に用いる同期信号、映像データや音声データの属性を示す属性データ、受信装置３の制御に用いられる制御信号などが含まれる。
【００３８】
属性データには受信装置３の制御に用いられる情報であるＩｎｆｏＦｒａｍｅというデータが含まれる。ＩｎｆｏＦｒａｍｅの中でも映像データ情報を用いて制御を行うために特化したＩｎｆｏＦｒａｍｅとしてＡＶＩ  Ｉｎｆｏｆｒａｍｅというものが存在する。ＡＶＩ  ＩｎｆｏＦｒａｍｅの内部に記述されるデータとしてＶＩＣが存在する。ＶＩＣに表現される内容の一つには映像のフレームレートが含まれる。制御データｄａ３を受信した受信装置３は、通常はこのＶＩＣに記述されたフレームレートで映像の表示を行う。
【００３９】
そして、映像出力回路２ｂは、Ｎ分周回路２２から分周比Ｎの情報を受け取った場合には、ＶＳＩＦ（Ｖｅｎｄｏｒ  Ｓｐｅｃｉｆｉｃ  ＩｎｆｏＦｒａｍｅ）内に分周比Ｎの値を記述したデータを制御データｄａ３に付加する。
【００４０】
このようにして、例えば、チャネルＣＨ０用データＤａ０には、映像データｄａ１、音声データｄａ２、同期信号および属性データからなる制御データｄａ３が含まれ、後述のようにチャネルＣＨ０により伝送される。チャネルＣＨ１用データＤａ１には、映像データｄａ１、音声データｄａ２、制御信号および属性データからなる制御データｄａ３が含まれ、後述のようにチャネルＣＨ１により伝送される。チャネルＣＨ２用データＤａ２には、映像データｄａ１、音声データｄａ２、制御信号および属性データからなる制御データｄａ３が含まれ、後述のようにチャネルＣＨ２により伝送される。クロックチャネルＣＫ−ＣＨではＴＭＤＳクロックが伝送される。
【００４１】
Ｎ分周回路２２から出力されたＴＭＤＳクロックのタイミングで、８ビットパラレルの映像データｄａ１、４ビットパラレルの音声データｄａ２、および、２ビットパラレルの制御データｄａ３がＴＭＤＳ出力回路２ｃに読み出される。ＴＭＤＳ出力回路２ｃは、チャネルＣＨ０用のＴＭＤＳエンコーダｅｎ０、チャネルＣＨ１用のＴＭＤＳエンコーダｅｎ１、および、チャネルＣＨ２用のＴＭＤＳエンコーダｅｎ２を備えている。チャネルＣＨ０用データＤａ０はＴＭＤＳエンコーダｅｎ０に入力され、チャネルＣＨ１用データＤａ１はＴＭＤＳエンコーダｅｎ１に入力され、チャネルＣＨ２用データＤａ２はＴＭＤＳエンコーダｅｎ２に入力される。
【００４２】
各エンコーダは、８ビット−１０ビット変換器ＢＴ１、４ビット−１０ビット変換器ＢＴ２、および、２ビット−１０ビット変換器ＢＴ３を備えている。映像データｄａ１は８ビット−１０ビット変換器ＢＴ１に入力されて１０ビットのデータに符号化される。音声データｄａ２は４ビット−１０ビット変換器ＢＴ２に入力されて１０ビットのデータに符号化される。制御データｄａ３は２ビット−１０ビット変換器ＢＴ３に入力されて１０ビットのデータに符号化される。
【００４３】
１０ビットに符号化された各データはトランスミッタ２ｄに出力される。トランスミッタ２ｄは、タイミング発生回路２３およびデータ選択／シリアル変換部２４を備えている。タイミング発生回路２３は、Ｎ分周回路２２から出力されたＴＭＤＳクロックから、トランスミッタ２ｄがＴＭＤＳ伝送路に出力するデータのタイミング信号を生成する。
【００４４】
データ選択／シリアル変換部２４は、１０ビットのパラレルデータである映像データｄａ１、音声データｄａ２、および、制御データｄａ３を、ＴＭＤＳクロックのタイミングで選択して伝送タイミングの順に並べることによりシリアルデータに変換する。そして、データ選択／シリアル変換部２４は、生成したシリアルデータを前記タイミング信号によって１ビットずつ出力バッファからＴＭＤＳ伝送路に出力する。データ選択／シリアル変換部２４は、例えばシリアライザにより実現可能である。
【００４５】
以上のようにして、各データが、チャネルＣＨ０（ＤＡＴＡ０）、チャネルＣＨ１（ＤＡＴＡ１）、および、チャネルＣＨ２（ＤＡＴＡ２）により伝送される。クロックチャネルＣＫ−ＣＨでは１０ビットごとのタイミングを規定するＴＭＤＳクロックが伝送される。
【００４６】
図２に、受信装置３の詳細な構成を示す。
【００４７】
情報記憶部３ａはＥＤＩＤを記憶している。ＥＤＩＤには受信装置３がサポートするビデオフォーマット、機能、特性などの、受信装置３が処理可能な映像仕様に関する情報が記述されている。本実施形態では、ＥＤＩＤのＶＳＤＢ（Ｖｅｎｄｏｒ  Ｓｐｅｃｉｆｉｃａｔｉｏｎ  Ｄａｔａ  Ｂｌｏｃｋ）に、新たに、標準のフレームレートの何分の１に低減されたフレームレートで受信可能であるかを記述する。記述された低減されたフレームレートが標準のフレームレートのＮ分の１であるとき、分周比情報としてＮの値がＤＤＣを介して送信装置２のマイクロコンピュータ２ａにより読み出される。受信装置３が処理可能な垂直解像度ならびに水平解像度を示す解像度情報もマイクロコンピュータ２ａにより読み出される。
【００４８】
ＴＭＤＳ入力回路３ｂは、データ分離／パラレル変換部３１およびＴＭＤＳデコーダ３２を備えている。データ分離／パラレル変換部３１は、ＴＭＤＳ伝送路を介してデータを図示しないレシーバにより受信し、受信した１０ビットの各シリアルデータどうしをクロックチャネルから受信したＴＭＤＳクロックを用いて分離し、さらに内部クロックを用いてパラレルデータに変換する。データ分離／パラレル変換部３１は、ＴＭＤＳクロックをＴＭＤＳデコーダ３２および同期信号発生部３ｄに出力する。データ分離／パラレル変換部３１は、例えばデシリアライザにより実現可能である。
【００４９】
ＴＭＤＳデコーダ３２は、１０ビットのパラレルデータを８ビットのパラレルデータにデコードする。ＴＭＤＳデコーダ３２は、チャネルＣＨ０用のＴＭＤＳデコーダｄｅ０、チャネルＣＨ１用のＴＭＤＳデコーダｄｅ１、および、チャネルＣＨ２用のＴＭＤＳデコーダｄｅ２を備えている。チャネルＣＨ０用データはＴＭＤＳデコーダｄｅ０に入力され、チャネルＣＨ１用データはＴＭＤＳデコーダｄｅ１に入力され、チャネルＣＨ２用データはＴＭＤＳデコーダｄｅ２に入力される。
【００５０】
各デコーダは、１０ビット−８ビット変換器ＢＴ１’、１０ビット−４ビット変換器ＢＴ２’、および、１０ビット−２ビット変換器ＢＴ３’を備えている。チャネルＣＨ０用データは１０ビット−８ビット変換器ＢＴ１’に入力されて８ビットの映像データｄａ１に復号される。チャネルＣＨ１用データは１０ビット−４ビット変換器ＢＴ２’に入力されて４ビットの音声データｄａ２に復号される。チャネルＣＨ２用データは１０ビット−２ビット変換器ＢＴ３’に入力されて２ビットの制御データｄａ３に復号される。こうしてデータＤａ０、Ｄａ１、Ｄａ２が復号される。ＴＭＤＳデコーダ３２は、受信した映像データを属性データまたは制御信号に基づいて、適宜加工する場合もある。
【００５１】
８ビットに復号されたデータＤａ０、Ｄａ１、Ｄａ２は受信メモリ３ｃに保持される。同期信号発生部３ｄはＮ逓倍回路３３を備えている。Ｎ逓倍回路３３は、受信メモリ３ｃに保持されている制御データｄａ３が水平解像度ならびに垂直解像度の情報および分周比Ｎの情報を保有していないか否かを確認する。Ｎ逓倍回路３３は、制御データｄａ３が分周比Ｎの情報を保有している場合には、データ分離／パラレル変換部３１から出力されたＴＭＤＳクロックをＮ逓倍したピクセルクロックを生成する。Ｎ逓倍回路３３は、制御データｄａ３が分周比Ｎの情報を保有していない場合には、Ｎ＝１としてピクセルクロックを生成する。同期信号発生部３ｄは、この他に、制御データｄａ３が保有している、送信装置２から受信した同期信号および制御信号の情報から、垂直同期信号および水平同期信号を含む、表示駆動に用いる各種のタイミング信号を生成する。
【００５２】
同期信号発生部３ｄは、Ｎ逓倍回路３３によって生成したピクセルクロックのタイミング（第１のタイミング）で、受信メモリ３ｃから１フレーム分の映像データを読み出してフレームメモリ３ｅに書き込む。受信メモリ３ｃに新しいフレームのデータが保持されるまでは、フレームメモリ３ｅに同じ映像データｄａ１が保持され、Ｎ逓倍回路３３によって生成されたピクセルクロックのタイミング（第２のタイミング）で同じ映像データｄａ１がＮ回繰り返し読み出されて表示装置への出画に用いられる。第１のタイミングは、ピクセルクロックのうちの、フレームメモリ３ｅに同じ映像データｄａ１が保持される間を除く期間のタイミングである点で、第２のタイミングとは異なっている。受信メモリ３ｃに新しいフレームのデータが保持されるまでフレームメモリ３ｅに同じ映像データｄａ１が保持されるように、制御データｄａ３から読み出される分周比Ｎの情報がフレームメモリ３ｅにも供給される。
【００５３】
上記の受信装置３には、情報記憶部３ａがＥＤＩＤに記述する項目が追加されただけの構成であるとともに、Ｎ逓倍回路３３が同期クロックを発生させる周波数シンセサイザの分周比を変更するなどして実現可能な構成であることから、従来の受信装置の構成をほぼそのまま利用することができるという利点がある。
【００５４】
（消費電力低減の為の構成について）
以下に、図１ないし図３の構成により、従来のＨＤＭＩ仕様に情報を加えることで、消費電力低減を実現できることの説明を行う。
【００５５】
ＨＤＭＩ仕様に適合した送信装置では、ＶＩＣを用いてフレームレートを受信装置へ送信している。ここで、静止画などの、所定以上の複数フレームに亘る同じ映像を出力する場合には、従来ならば同じ映像を当該フレームレートで表示し続けることになる。しかし、本実施の形態においては、送信装置２は従来のフレームレートよりも遅いレートで映像信号を伝送する。そして受信装置３は従来よりも遅いレートで伝送された映像信号を通常のフレームレートで出画する。このようにして、伝送路に流れるデータ数を削減し、かつ、表示される映像のフレームレートを低下させないようにすることができる。伝送路に流れるデータ数を削減することができるので、送受信を実際に行う物理インターフェースの消費電力が低減される。
【００５６】
図４は、送受信システム１によるフレームレートの低減を説明する概念図である。１／６０秒（６０Ｈｚ）のフレームレートで送信している場合には約１６ミリ秒ごとに映像データが伝送される。これに対して、例えば分周比Ｎ＝８の場合には、８／６０秒（約７．５Ｈｚ）のフレームレートで送信することになるため、８フレーム期間＝１３３ミリ秒の伝送間隔が空くことになる。例えば４ｋ／３０ｐの表示を行う場合に、通常のフレームレートでは２．９７Ｇｂｐｓの伝送レートであるが、Ｎ＝８の場合にはその約８分の１の３７０Ｍｂｐｓの伝送レートとなる。
【００５７】
（ＥＤＩＤへの新規データ記載について）
図５に、情報記憶部３ａがＥＤＩＤとして新たに通常のフレームレートの何分の１のフレームレートが受信可能であるかを記述する場合の具体例を示す。図５は、ＶＳＤＢのデータ構造を示す。１バイトの大きさからなるバイトブロックが順に並び、先頭ブロック側にヘッダ情報や記憶アドレスなどが定義されている。下位のｎブロック以降に示されるバイトブロックには、Ｒｓｖｄ（０）で表される予約ビット領域が存在している。本実施形態では、この予約ビット領域中に、低減されたフレームレートで処理が可能であることを示す「Ｌｏｗ＿Ｒｅｆｌｅｓｈ」を例えば１ビット分を用いて定義する。そして、さらに後段のブロックにおいて、処理可能な低減されたフレームレートがどのような値であるかを示すＮの値が記述される。
【００５８】
ここではＮは送信装置２がＴＭＤＳクロックを生成するための分周比である。Ｎ＝２であれば分周比として２のみが可能であることを示し、Ｎ＝８であれば分周比として２、４、８の３通りを取ることが可能であることを示している。Ｎを取り得る値の数だけ個別のバイトブロックに記述してもよいが、処理可能なフレームレートが２のべき乗で表される値を複数含む場合に、２のべき乗で表される各値に関するフレームレートの情報として、２のべき乗で表される値の最大値のみを記述することにより、ＥＤＩＤの記憶サイズの拡大を抑制することができる。ＥＤＩＤを記憶するＲＯＭは一般に２５６バイト程度の記憶容量の小さい有限エリアしかないため、予約ビット領域に余裕が無いのが通常であり、本機能の実現の為に消費する記憶サイズの拡大の抑制によって、他の機能の実現の為に消費する記憶エリアの確保を可能にするという効果がある。
【００５９】
このようにＥＤＩＤ中に受信装置３が処理可能な低減されたフレームレートの情報を記述して送信装置２に読取り可能とすることにより、送信装置２が受信装置３の受信可能ではないフレームレートの信号を送信してしまうことが防止される。
【００６０】
また、処理可能な所定のフレームレートが特定の複数の映像仕様に共通である場合に、所定のフレームレートに関する情報が特定の複数の映像仕様にのみ適用されることを示すマスクフィールドが前記情報記憶部３ａに記憶されるようにしてもよい。例えば分周比Ｎが全てのＶＩＣリストに適用可能ではなく、そのうちの特定の複数のＶＩＣリストにのみ適用可能であるならば、全てのＶＩＣ番号から特定の複数のＶＩＣ番号のみを抜き出すマスクデータをマスクフィールドに記述するようにする。これにより、ＥＤＩＤの記憶サイズの拡大をさらに抑制することができる。
【００６１】
（新たなＩｎｆｏＦｒａｍｅの創設について）
前述したように、送信装置２では、属性データの一つとして新たなＩｎｆｏＦｒａｍｅが定義される。当該ＩｎｆｏＦｒａｍｅ（以下新ＩｎｆｏＦｒａｍｅと呼ぶ）にはフレームレートをどの程度遅くするのかについての記述が行われる。具体的な一例として、ＶＩＣに記載したフレームレートの何分の１で映像信号を送信するのかをＶＳＩＦに記述する場合に、例えばＶＩＣに記載したフレームレートが６０Ｈｚであって、送信するフレームレートが７．５Ｈｚであれば、新ＩｎｆｏＦｒａｍｅには８と記載する。
【００６２】
このようにすると次のような利点がある。すなわち、受信装置３はＶＩＣに記載されたフレームレートと新ＩｎｆｏＦｒａｍｅに記載された数値とを演算することで、容易に、どの程度フレームレートが低減されているのかを知ることができる。また、受信装置３は本来出画すべきフレームレートについては従来のＨＤＭＩ仕様に適合した方式で知ることができる。
【００６３】
図６に、ＶＳＩＦ内に分周比Ｎの値を記述する具体例を示す。１バイトの大きさからなるバイトブロックが順に並び、先頭ブロック側にヘッダ情報や記憶アドレスなどが定義されている。ブロックＰＢ４の第５ビットから第７ビットにかけて、ビデオフォーマットの種類が記述されており、例えばビデオフォーマットの種類を「Ｌｏｗ  Ｒｅｆｌｅｓｈモード」であることを示す「１００」として図６中のＨＤＭＩ＿Ｖｉｄｅｏ＿Ｆｏｒｍａｔフィールド３ビットを用いて記述する。この「１００」は、例えばＨＤＭＩのビデオフォーマットの種類を定義するために予約された番号の中から選択して定義することが可能である。続くブロックＰＢ５では、ブロックＰＢ４で定義された「Ｌｏｗ  Ｒｅｆｌｅｓｈモード」がどのような値のＮになるのかが「Ｄ」として記述される。ここで、受信装置３のＥＤＩＤにおいてＮ＝８のように複数の分周比が処理可能であることが示されている場合に、「Ｄ」として記述するＮとしては、２、４、８のように受信装置３が処理可能な範囲から１つを選択することが可能である。
【００６４】
いま、この新ＩｎｆｏＦｒａｍｅとは別に伝送されているＡＶＩ＿ＩｎｆｏＦｒａｍｅ内で伝送されるＶＩＣ値によって一意に定義されるフレームレート値がＡであるとしたとき、この「Ｄ」値との組み合わせで、現在伝送されているＨＤＭＩ信号のフレームレートは、ＡのＤ分の１（＝Ａ／Ｄ）であることを表す。なお、伝送される映像の水平解像度及び垂直解像度は、もとのＶＩＣ値によって定義された値からの変更はない。
【００６５】
もちろんＶＩＣおよび新ＩｎｆｏＦｒａｍｅを利用せずに、他の方式を用いて伝送される映像の出画すべきフレームレートと水平解像度及び垂直解像度とを別途、送信装置２が受信装置３に知らせてもよい。例えば信号線を増設して当該レートを伝える方式が考えられる。しかし新ＩｎｆｏＦｒａｍｅを用いた方式は従来のＨＤＭＩ機器の構成を踏襲することが可能であり、かつ、演算量が少ないという利点がある。
【００６６】
（クロックチャネルの継続について）
従来のＨＤＭＩ仕様によれば、クロックチャネルでは映像信号のクロックが伝送される。ここで、本実施の形態のように本来のフレームレートより遅いフレームレートで伝送系を構成する場合は、クロックも当然に遅くなる。前述の送受信システム１では、ＴＭＤＳクロックをＮ分の１のレートで伝送した。しかしここで、クロックチャネルで伝送するクロックを本来の映像信号のクロックで伝送しても構わない。すなわち、例えば１０８０ｐ／６０Ｈｚの映像であれば映像信号クロックは１４８．５ＭＨｚがクロックスピードであるが、フレームレートを下げた場合もこのクロックを伝送し続けるということである。このようにすると、受信側でのクロック生成回路を従来と同じ構成で実現可能となる利点がある。
【００６７】
ＴＭＤＳクロックをＮ分の１のレートで伝送する場合も元のクロックレートのまま伝送する場合も、共に、クロックおよび映像データの送出は連続的に行われるものとする。元のクロックレートのまま伝送する場合には、元のＮ分の１のレートではない映像信号に切り替わった場合にも、受信側でのクロックの再引き込みの必要性がなくなり、シームレスな出画を可能とすることができる。制御データｄａ３に分周比Ｎの情報を含ませたので、受信装置３側でフレームレートが低減されたことは認識可能であることから、クロックの伝送レートが変更されないことは受信障害とはならない。
【００６８】
図７に、送信装置２の動作を説明するフローチャートを示す。これらの動作は制御プログラムあるいはハードウエア動作のいずれでも実現可能である。
【００６９】
マイクロコンピュータ２ａは、電源立ち上げ時やケーブルが接続された時等に受信装置３中にある情報記憶部３ａから、低フレームレートで受信可能かどうかを読み取る（ステップＳ７０１）。読み取った結果、低フレームレートでの受信ができない場合は従来のＨＤＭＩ伝送方式で伝送すべきであると判断する（Ｓ７１０）。映像出力回路２ｂの出力が静止画やフレームレートが低い等、低フレームレート伝送可能モードであるときに、本実施形態の低フレームレートモードでの伝送が開始される（Ｓ７０２）。
【００７０】
マイクロコンピュータ２ａは、各データと、クロックと、映像信号が低フレームレート伝送モードであることの制御信号をブランキング期間のパケット（ＩｎｆｏＦｒａｍｅ）に出力し（Ｓ７０３）、低フレームレート伝送モードでなかった場合は、従来のＨＤＭＩ伝送方式で伝送すべきであると判断する（Ｓ７１０）。
【００７１】
次に図８に、受信装置３の動作を説明するフローチャートを示す。これらの動作は制御プログラムあるいはハードウエア動作のいずれでも実現可能である。
【００７２】
伝送される映像信号のブランキング期間のパケット（新ＩｎｆｏＦｒａｍｅ）に低フレームレート伝送モードであることを示す情報が重畳されているかどうかの信号を読み取り（Ｓ８０１）、低フレームレート伝送モードでなかった場合は従来のＨＤＭＩ受信を行う（Ｓ８１０）。
【００７３】
低フレームレート伝送モードのフラグを検出したら、送信装置２から伝送されてくる映像信号を受信メモリ３ｃの領域ｎ＋１にビデオ映像を書き込む（Ｓ８０２）。このとき映像信号のフレームメモリ３ｅへの読み出し（表示）は、前回の映像更新時に記憶した受信メモリ３ｃの領域ｎのビデオデータを読み出している。
【００７４】
受信メモリ３ｃへの映像信号の書き込みが完了すると、受信メモリ３ｃの領域ｎ＋１から映像信号を表示するための同期信号発生回路３ｄで発生された同期信号によって、フレームメモリ３ｅから読み出し表示される（Ｓ８０３）。
【００７５】
以上、本実施形態について説明した。
【００７６】
本実施形態の構成は、図１に記載の情報記憶部３ａがＣＥＣ（Ｃｏｎｓｕｍｅｒ  Ｅｌｅｃｔｒｏｎｉｃｓ  Ｃｏｎｔｒｏｌ）による通信で実施されるものも含む。
【００７７】
なお、ＤＰ（ＤｉｓｐｌａｙＰｏｒｔ：ディスプレイポート）技術において行われる非圧縮映像データのメインリンクによる伝送において、ブランキング期間に同様のデータを挿入してもよい。ＤＰでは、シンクからソースへのＥＤＩＤの読み込みはＡＵＸチャネルを通して行われる。非同期伝送であるのでクロックチャネルは存在しない。また、ＤＶＩ（Ｄｉｇｉｔａｌ  Ｖｉｓｕａｌ  Ｉｎｔｅｒｆａｃｅ）において行われる非圧縮映像データのＴＭＤＳ伝送において、ブランキング期間に同様のデータを挿入してもよい。ＤＶＩでは、シンクからソースへのＥＤＩＤの読み込みはＤＤＣ（Ｄｉｓｐｌａｙ  Ｄａｔａ  Ｃｈａｎｎｅｌ）を通して行われる。これらの伝送仕様以外の非圧縮データ伝送であってもよいし、無線による非圧縮データ伝送であってもよい。
【００７８】
また、送信装置と受信装置との通信の間にリピータが介在してもよい。
【産業上の利用可能性】
【００７９】
本発明は、従来のＨＤＭＩ仕様に適合させる形で、静止画を伝送する伝送方式として特に有用である。
【符号の説明】
【００８０】
１        送受信システム
２        送信装置
２ａ      マイクロコンピュータ
３        受信装置
３ａ      情報記憶部
３ｄ      同期信号発生部
３ｅ      フレームメモリ
Ｎ        分周比
【手続補正２】
【補正対象書類名】特許請求の範囲
【補正対象項目名】全文
【補正方法】変更
【補正の内容】
【特許請求の範囲】
【請求項１】
映像信号を含む信号を受信装置に送信する送信装置であって、
前記受信装置が保有している処理可能な映像仕様に関する情報を読み取り、前記受信装置が処理可能な前記映像信号を送信するように制御を行う制御部と、
前記映像信号をベースバンド映像データとして送信する送信部とを備えており、
前記映像信号が所定以上の複数フレームに亘って同じ映像を示す出力モードである場合に、
前記制御部は、前記映像仕様に関する情報から前記受信装置が処理可能な水平解像度ならびに垂直解像度の情報、および、前記受信装置が処理可能なフレームレートの情報を読み取り、前記受信装置が処理可能な範囲から選択することのできる低減されたフレームレートを示す情報を前記映像信号のブランキング期間に前記映像信号に多重する制御を行い、
前記送信部は、前記低減されたフレームレートで前記ベースバンド映像データを送信することを特徴とする送信装置。
【請求項２】
前記低減されたフレームレートを示す情報は、低減前のフレームレートに対する分周比に関する情報であることを特徴とする請求項１に記載の送信装置。
【請求項３】
前記送信部がクロックを送信する場合に、前記出力モードにおいて前記クロックの伝送レートは低減しないで伝送することを特徴とする請求項１または２に記載の送信装置。
【請求項４】
映像信号を含む信号を受信する受信装置であって、
処理可能なフレームレートの情報を含む処理可能な映像仕様に関する情報を記憶する記憶部と、
ベースバンド映像データからなる映像信号を含む信号を受信する受信部と、
前記受信部によって受信した前記映像信号が書き込まれるフレームメモリと、
前記受信部から前記フレームメモリに前記映像信号を書き込む第１のタイミングと、前記フレームメモリから前記映像信号を読み出す第２のタイミングと、を生成する同期信号発生部とを備えており、
前記受信部は、受信した前記映像信号のブランキング期間に水平解像度ならびに垂直解像度の情報、および、低減されたフレームレートを示す情報が重畳されている場合に、前記フレームレートを示す情報を前記同期信号発生部に出力し、
前記同期信号発生部は、水平解像度ならびに垂直解像度の情報および、前記低減されたフレームレートを示す情報に従ったフレームレートで前記第１のタイミングを生成することを特徴とする受信装置。
【請求項５】
処理可能なフレームレートが２のべき乗で表される値を複数含む場合に、前記２のべき乗で表される各値に関するフレームレートの情報として、前記２のべき乗で表される値の最大値のみが前記記憶部に記憶されていることを特徴とする請求項４に記載の受信装置。
【請求項６】
処理可能な所定のフレームレートが特定の複数の映像仕様に共通である場合に、前記所定のフレームレートに関する情報が前記特定の複数の映像仕様にのみ適用されることを示すマスクフィールドが前記記憶部に記憶されていることを特徴とする請求項４または５に記載の受信装置。
【請求項７】
映像信号を含む信号を送信する送信装置と、前記映像信号を含む信号を受信する受信装置とを備える送受信システムであって、
前記送信装置は、
前記受信装置が保有している処理可能な映像仕様に関する情報を読み取り、前記受信装置が処理可能な前記映像信号を送信するように制御を行う制御部と、
前記映像信号をベースバンド映像データとして送信する送信部とを備えており、
前記映像信号が所定以上の複数フレームに亘って同じ映像を示す出力モードである場合に、
前記制御部は、前記映像仕様に関する情報から前記受信装置が処理可能な水平解像度ならびに垂直解像度の情報、および、前記受信装置が処理可能なフレームレートの情報を読み取り、前記受信装置が処理可能な範囲から選択することのできる低減されたフレームレートを示す情報を前記映像信号のブランキング期間に前記映像信号に多重する制御を行い、
前記送信部は、前記低減されたフレームレートで前記ベースバンド映像データを送信し、
前記受信装置は、
前記処理可能なフレームレートの情報を含む前記処理可能な映像仕様に関する情報を記憶する記憶部と、
前記送信装置から送信された前記映像信号を含む信号を受信する受信部と、
前記受信部によって受信した前記映像信号が書き込まれるフレームメモリと、
前記受信部から前記フレームメモリに前記映像信号を書き込む第１のタイミングと、前記フレームメモリから前記映像信号を読み出す第２のタイミングと、を生成する同期信号発生部とを備えており、
前記受信部は、受信した前記映像信号のブランキング期間に水平解像度ならびに垂直解像度の情報、および、前記低減されたフレームレートを示す情報が重畳されている場合に、前記低減されたフレームレートを示す情報を前記同期信号発生部に出力し、
前記同期信号発生部は、前記低減されたフレームレートを示す情報に従って前記低減されたフレームレートで前記第１のタイミングを生成することを特徴とする送受信システム。
【手続補正３】
【補正対象書類名】図面
【補正対象項目名】全図
【補正方法】変更
【補正の内容】
【図１】
2013076881.tif 000013
【図２】
2013076881.tif 000014
【図３】
2013076881.tif 000015
【図４】
2013076881.tif 000016
【図５】
2013076881.tif 000017
【図６】
2013076881.tif 000018
【図７】
2013076881.tif 000019
【図８】
2013076881.tif 000020
【図９】
2013076881.tif 000021
【図１０】
2013076881.tif 000022
【手続補正書】
【提出日】平成27年1月13日(2015.1.13)
【手続補正１】
【補正対象書類名】明細書
【補正対象項目名】００１９
【補正方法】変更
【補正の内容】
【００１９】
本発明の送信装置は、映像信号を含む信号を受信装置に送信する送信装置であって、前記受信装置が保有している処理可能な映像仕様に関する情報を読み取り、前記受信装置が処理可能な前記映像信号を送信するように制御を行う制御部と、前記映像信号をベースバンド映像データとして送信する送信部とを備えており、前記送信部が前記映像信号を所定以上の複数フレームに亘って同じ映像を出力する場合に、前記制御部は、前記映像仕様に関する情報から前記受信装置が処理可能な水平解像度ならびに垂直解像度の情報、および、前記受信装置が処理可能なフレームレートの情報を読み取り、前記水平解像度ならびに垂直解像度の情報、および、前記受信装置が処理可能な範囲から選択することのできる低減されたフレームレートを示す情報を前記映像信号のブランキング期間に前記映像信号に多重する制御を行い、前記送信部は、前記低減されたフレームレートで前記ベースバンド映像データを送信する。
【手続補正２】
【補正対象書類名】明細書
【補正対象項目名】００２１
【補正方法】変更
【補正の内容】
【００２１】
また、前記送信装置は、前記送信部がクロックを送信する場合に、前記映像信号が所定以上の複数フレームに亘って同じ映像を出力する時には前記クロックの伝送レートを低減変更しなくてもよい。
【手続補正３】
【補正対象書類名】明細書
【補正対象項目名】００２５
【補正方法】変更
【補正の内容】
【００２５】
また、本発明の送受信システムは、映像信号を含む信号を送信する送信装置と、前記映像信号を含む信号を受信する受信装置とを備える送受信システムであって、前記送信装置は、前記受信装置が保有している処理可能な映像仕様に関する情報を読み取り、前記受信装置が処理可能な前記映像信号を送信するように制御を行う制御部と、前記映像信号をベースバンド映像データとして送信する送信部とを備えており、前記送信部が前記映像信号を所定以上の複数フレームに亘って同じ映像を出力する場合に、前記制御部は、前記映像仕様に関する情報から前記受信装置が処理可能な水平解像度ならびに垂直解像度の情報、および、前記受信装置が処理可能なフレームレートの情報を読み取り、前記水平解像度ならびに垂直解像度の情報、および、前記受信装置が処理可能な範囲から選択することのできる低減されたフレームレートを示す情報を前記映像信号のブランキング期間に前記映像信号に多重する制御を行い、前記送信部は、前記低減されたフレームレートで前記ベースバンド映像データを送信し、前記受信装置は、前記処理可能なフレームレートの情報を含む前記処理可能な映像仕様に関する情報を記憶する記憶部と、前記送信装置から送信された前記映像信号を含む信号を受信する受信部と、前記受信部によって受信した前記映像信号が書き込まれるフレームメモリと、前記受信部から前記フレームメモリに前記映像信号を書き込む第１のタイミングと、前記フレームメモリから前記映像信号を読み出す第２のタイミングと、を生成する同期信号発生部とを備えており、前記受信部は、受信した前記映像信号のブランキング期間に水平解像度ならびに垂直解像度の情報、および、前記低減されたフレームレートを示す情報が重畳されている場合に、前記低減されたフレームレートを示す情報を前記同期信号発生部に出力し、前記同期信号発生部は、前記低減されたフレームレートを示す情報に従って前記低減されたフレームレートで前記第１のタイミングを生成する。
【手続補正４】
【補正対象書類名】特許請求の範囲
【補正対象項目名】全文
【補正方法】変更
【補正の内容】
【特許請求の範囲】
【請求項１】
映像信号を含む信号を受信装置に送信する送信装置であって、
前記受信装置が保有している処理可能な映像仕様に関する情報を読み取り、前記受信装置が処理可能な前記映像信号を送信するように制御を行う制御部と、
前記映像信号をベースバンド映像データとして送信する送信部とを備えており、
前記送信部が前記映像信号を所定以上の複数フレームに亘って同じ映像を出力する場合に、
前記制御部は、前記映像仕様に関する情報から前記受信装置が処理可能な水平解像度ならびに垂直解像度の情報、および、前記受信装置が処理可能なフレームレートの情報を読み取り、前記水平解像度ならびに垂直解像度の情報、および、前記受信装置が処理可能な範囲から選択することのできる低減されたフレームレートを示す情報を前記映像信号のブランキング期間に前記映像信号に多重する制御を行い、
前記送信部は、前記低減されたフレームレートで前記ベースバンド映像データを送信することを特徴とする送信装置。
【請求項２】
前記低減されたフレームレートを示す情報は、低減前のフレームレートに対する分周比に関する情報であることを特徴とする請求項１に記載の送信装置。
【請求項３】
前記送信部は、前記映像信号が所定以上の複数フレームに亘って同じ映像を出力する時にクロックを送信する場合には、前記クロックの伝送レートを低減しないで伝送することを特徴とする請求項１または２に記載の送信装置。
【請求項４】
映像信号を含む信号を受信する受信装置であって、
処理可能なフレームレートの情報を含む処理可能な映像仕様に関する情報を記憶する記憶部と、
ベースバンド映像データからなる映像信号を含む信号を受信する受信部と、
前記受信部によって受信した前記映像信号が書き込まれるフレームメモリと、
前記受信部から前記フレームメモリに前記映像信号を書き込む第１のタイミングと、前記フレームメモリから前記映像信号を読み出す第２のタイミングと、を生成する同期信号発生部とを備えており、
前記受信部は、受信した前記映像信号のブランキング期間に水平解像度ならびに垂直解像度の情報、および、低減されたフレームレートを示す情報が重畳されている場合に、前記フレームレートを示す情報を前記同期信号発生部に出力し、
前記同期信号発生部は、水平解像度ならびに垂直解像度の情報および、前記低減されたフレームレートを示す情報に従ったフレームレートで前記第１のタイミングを生成することを特徴とする受信装置。
【請求項５】
処理可能なフレームレートが２のべき乗で表される値を複数含む場合に、前記２のべき乗で表される各値に関するフレームレートの情報として、前記２のべき乗で表される値の最大値のみが前記記憶部に記憶されていることを特徴とする請求項４に記載の受信装置。
【請求項６】
処理可能な所定のフレームレートが特定の複数の映像仕様に共通である場合に、前記所定のフレームレートに関する情報が前記特定の複数の映像仕様にのみ適用されることを示すマスクフィールドが前記記憶部に記憶されていることを特徴とする請求項４または５に記載の受信装置。
【請求項７】
映像信号を含む信号を送信する送信装置と、前記映像信号を含む信号を受信する受信装置とを備える送受信システムであって、
前記送信装置は、
前記受信装置が保有している処理可能な映像仕様に関する情報を読み取り、前記受信装置が処理可能な前記映像信号を送信するように制御を行う制御部と、
前記映像信号をベースバンド映像データとして送信する送信部とを備えており、
前記送信部が前記映像信号を所定以上の複数フレームに亘って同じ映像を出力する場合に、
前記制御部は、前記映像仕様に関する情報から前記受信装置が処理可能な水平解像度ならびに垂直解像度の情報、および、前記受信装置が処理可能なフレームレートの情報を読み取り、前記水平解像度ならびに垂直解像度の情報、および、前記受信装置が処理可能な範囲から選択することのできる低減されたフレームレートを示す情報を前記映像信号のブランキング期間に前記映像信号に多重する制御を行い、
前記送信部は、前記低減されたフレームレートで前記ベースバンド映像データを送信し、
前記受信装置は、
前記処理可能なフレームレートの情報を含む前記処理可能な映像仕様に関する情報を記憶する記憶部と、
前記送信装置から送信された前記映像信号を含む信号を受信する受信部と、
前記受信部によって受信した前記映像信号が書き込まれるフレームメモリと、
前記受信部から前記フレームメモリに前記映像信号を書き込む第１のタイミングと、前記フレームメモリから前記映像信号を読み出す第２のタイミングと、を生成する同期信号発生部とを備えており、
前記受信部は、受信した前記映像信号のブランキング期間に水平解像度ならびに垂直解像度の情報、および、前記低減されたフレームレートを示す情報が重畳されている場合に、前記低減されたフレームレートを示す情報を前記同期信号発生部に出力し、
前記同期信号発生部は、前記低減されたフレームレートを示す情報に従って前記低減
されたフレームレートで前記第１のタイミングを生成することを特徴とする送受信システム。
【国際調査報告】
2013076881.tif 000023
2013076881.tif 000024
2013076881.tif 000025
2013076881.tif 000026